(57)【要約】【課題】  二つのレンズ鏡筒の光軸の間隔又は向きを簡素な機構によって調整して製造コストの高騰を来たすことなく画質の向上を図る。【解決手段】  第１のレンズ鏡筒と、被写体と像を結ぶ結像方向に直交する方向において第１のレンズ鏡筒に並んで配置された第２のレンズ鏡筒と、第１のレンズ鏡筒と第２のレンズ鏡筒が並ぶ並び方向へ第１のレンズ鏡筒と第２のレンズ鏡筒を付勢する付勢バネと、第１のレンズ鏡筒と第２のレンズ鏡筒の間に位置し結像方向に延びる基準線上を移動される調整部材を有する駆動体とを備え、調整部材が移動時に第１のレンズ鏡筒と第２のレンズ鏡筒に摺動されて第１のレンズ鏡筒と第２のレンズ鏡筒を同期して移動させ第１のレンズ鏡筒の光軸と第２のレンズ鏡筒の光軸の間隔又は向きの調整が行われるようにした。【選択図】        図３
2012185397.tif 000002
【特許請求の範囲】
【請求項１】
第１のレンズ鏡筒と、
被写体と像を結ぶ結像方向に直交する方向において前記第１のレンズ鏡筒に並んで配置された第２のレンズ鏡筒と、
前記第１のレンズ鏡筒と前記第２のレンズ鏡筒が並ぶ並び方向へ前記第１のレンズ鏡筒と前記第２のレンズ鏡筒を付勢する付勢バネと、
前記第１のレンズ鏡筒と前記第２のレンズ鏡筒の間に位置し前記結像方向に延びる基準線上を移動される調整部材を有する駆動体とを備え、
前記調整部材が移動時に前記第１のレンズ鏡筒と前記第２のレンズ鏡筒に摺動されて前記第１のレンズ鏡筒と前記第２のレンズ鏡筒を同期して移動させ前記第１のレンズ鏡筒の光軸と前記第２のレンズ鏡筒の光軸の間隔又は向きの調整が行われるようにした
撮像装置。
【請求項２】
前記結像方向及び前記並び方向にともに直交する方向に延びる一対の支点軸を設け、
前記各支点軸を支点としてそれぞれ前記第１のレンズ鏡筒と前記第２のレンズ鏡筒が回動可能とされ、
前記第１のレンズ鏡筒と前記第２のレンズ鏡筒がそれぞれ前記支点軸を支点として回動されて前記第１のレンズ鏡筒の光軸と前記第２のレンズ鏡筒の光軸の向きが調整されるようにした
請求項１に記載の撮像装置。
【請求項３】
前記基準線が前記第１のレンズ鏡筒と前記第２のレンズ鏡筒の中央に位置する中央線とされ、
前記中央線を基準として前記第１のレンズ鏡筒と前記第２のレンズ鏡筒が対称に回動されるようにした
請求項２に記載の撮像装置。
【請求項４】
前記調整部材に断面が二等辺三角形状に形成された摺動部を設け、
前記摺動部の一対の傾斜面が移動時にそれぞれ前記第１のレンズ鏡筒と前記第２のレンズ鏡筒に摺動される摺動面として形成された
請求項３に記載の撮像装置。
【請求項５】
前記第１のレンズ鏡筒と前記第２のレンズ鏡筒にそれぞれ前記調整部材の摺動面が接して回転される回転部材を設けた
請求項４に記載の撮像装置。
【請求項６】
前記第１のレンズ鏡筒と前記第２のレンズ鏡筒にそれぞれ前記光軸に対して傾斜され前記調整部材が摺動される被摺動面を形成した
請求項３に記載の撮像装置。
【請求項７】
前記調整部材に前記第１のレンズ鏡筒と前記第２のレンズ鏡筒の被摺動面が接して回転される回転部材を設けた
請求項６に記載の撮像装置。
【請求項８】
前記駆動体が前記結像方向に離隔して一対設けられ、
一方の前記駆動体の移動量と他方の前記駆動体の移動量とに応じて前記第１のレンズ鏡筒の光軸と前記第２のレンズ鏡筒の光軸の間隔と向きの調整が行われるようにした
請求項１に記載の撮像装置。
【請求項９】
前記基準線が前記第１のレンズ鏡筒と前記第２のレンズ鏡筒の中央に位置する中央線とされ、
前記中央線を基準として前記第１のレンズ鏡筒と前記第２のレンズ鏡筒が対称に移動されるようにした
請求項８に記載の撮像装置。
【請求項１０】
前記調整部材に断面が二等辺三角形状に形成された摺動部を設け、
前記摺動部の一対の傾斜面が移動時にそれぞれ前記第１のレンズ鏡筒と前記第２のレンズ鏡筒に摺動される摺動面として形成された
請求項９に記載の撮像装置。
【請求項１１】
前記第１のレンズ鏡筒と前記第２のレンズ鏡筒にそれぞれ前記調整部材の摺動面が接して回転される回転部材を設けた
請求項１０に記載の撮像装置。
【請求項１２】
前記第１のレンズ鏡筒と前記第２のレンズ鏡筒にそれぞれ前記光軸に対して傾斜され前記調整部材が摺動される被摺動面を形成した
請求項９に記載の撮像装置。
【請求項１３】
前記調整部材に前記第１のレンズ鏡筒と前記第２のレンズ鏡筒の被摺動面が接して回転される回転部材を設けた
請求項１２に記載の撮像装置。
【請求項１４】
前記第１のレンズ鏡筒と前記第２のレンズ鏡筒を支持する支持部材を設け、
前記支持部材に前記第１のレンズ鏡筒と前記第２のレンズ鏡筒の前記結像方向への移動を規制する規制部を設け、
前記第１のレンズ鏡筒と前記第２のレンズ鏡筒にそれぞれ前記規制部に前記並び方向へ移動自在に係合される被規制部を設けた
請求項８に記載の撮像装置。
【請求項１５】
前記並び方向に延びるガイド軸を設け、
前記第１のレンズ鏡筒と前記第２のレンズ鏡筒が前記ガイド軸に案内されて前記第１のレンズ鏡筒の光軸と前記第２のレンズ鏡筒の光軸の間隔が調整されるようにした
請求項１に記載の撮像装置。
【請求項１６】
前記基準線が前記第１のレンズ鏡筒と前記第２のレンズ鏡筒の中央に位置する中央線とされ、
前記中央線を基準として前記第１のレンズ鏡筒と前記第２のレンズ鏡筒が対称に移動されるようにした
請求項１５に記載の撮像装置。
【請求項１７】
前記調整部材に断面が二等辺三角形状に形成された摺動部を設け、
前記摺動部の一対の傾斜面が移動時にそれぞれ前記第１のレンズ鏡筒と前記第２のレンズ鏡筒に摺動される摺動面として形成された
請求項１６に記載の撮像装置。
【請求項１８】
前記第１のレンズ鏡筒と前記第２のレンズ鏡筒にそれぞれ前記調整部材の摺動面が接して回転される回転部材を設けた
請求項１７に記載の撮像装置。
【請求項１９】
前記第１のレンズ鏡筒と前記第２のレンズ鏡筒にそれぞれ前記光軸に対して傾斜され前記調整部材が摺動される被摺動面を形成した
請求項１６に記載の撮像装置。
【請求項２０】
前記調整部材に前記第１のレンズ鏡筒と前記第２のレンズ鏡筒の被摺動面が接して回転される回転部材を設けた
請求項１９に記載の撮像装置。
【発明の詳細な説明】
【技術分野】
【０００１】
本技術は撮像装置についての技術分野に関する。詳しくは、被写体と像を結ぶ方向に直交する方向において並んで配置された第１のレンズ鏡筒と第２のレンズ鏡筒の光軸の間隔又は向きを簡素な機構によって調整して製造コストの高騰を来たすことなく画質の向上を図る技術分野に関する。
【背景技術】
【０００２】
ビデオカメラやスチルカメラ等の各種の撮像装置は、内部にレンズ等の光学系が配置されたレンズ鏡筒が設けられ、レンズ鏡筒の光学系を介して被写体の画像が取り込まれることにより撮影が行われる。
【０００３】
上記のような撮像装置において、近年、立体画像（３Ｄ画像）の撮影が可能なタイプが提案されている。このような撮像装置には、二つのレンズ鏡筒が設けられ、各レンズ鏡筒に配置された各光学系を介してそれぞれ被写体の像を同時に取り込んで立体画像の撮影が行われるようにされている。
【０００４】
このような二つのレンズ鏡筒を有する撮像装置を用いて立体画像を撮影する場合において、良好な立体感を有する立体画像を撮影するには、二つのレンズ鏡筒の光軸の間隔（基線長）や被写体に対する各光軸の角度を撮影者の両眼の間隔や輻輳角に合わせることが望ましい。
【０００５】
例えば、近距離に存在する被写体を撮影するときには基線長を短く設定し、遠距離に存在する被写体を撮影するときには基線長を長く設定することにより、何れの距離に存在する被写体においても良好な立体感を有する立体画像を撮影することが可能である。
【０００６】
また、例えば、近距離に存在する被写体を撮影するときには輻輳角を大きく設定し、遠距離に存在する被写体を撮影するときには輻輳角を小さく設定すると、何れの距離に存在する被写体においても良好な立体感を有する立体画像を撮影することが可能である。
【０００７】
そこで、二つのレンズ鏡筒を有する従来の撮像装置には、基線長や輻輳角を調整することが可能とされたものがある（例えば、特許文献１及び特許文献２参照）。特許文献１に記載された撮像装置においては調整用モーターを有する調整機構によって基線長の調整が可能とされ、特許文献２に記載された撮像装置においては調整用モーターを有する調整機構によって輻輳角の調整が可能とされている。
【０００８】
【特許文献１】特開平８−１４６３７５号公報
【特許文献２】特開２００８−２２１５０号公報
【発明の開示】
【発明が解決しようとする課題】
【０００９】
ところが、特許文献１及び特許文献２に記載された撮像装置にあっては、何れも一方のレンズ鏡筒を移動又は回動させるための第１の調整用モーターと他方のレンズ鏡筒を移動又は回動させるための第２の調整用モーターとを有し、独立した二つの調整用モーターによって各レンズ鏡筒が移動又は回動される。
【００１０】
従って、基線長又は輻輳角の調整において、二つの調整用モーターを同期させて動作させる必要があり、調整機構の構成が複雑であり製造コストが高いと言う問題がある。
【００１１】
そこで、本技術撮像装置は、上記した問題点を克服し、二つのレンズ鏡筒の光軸の間隔又は向きを簡素な機構によって調整して製造コストの高騰を来たすことなく画質の向上を図ることを課題とする。
【課題を解決するための手段】
【００１２】
撮像装置は、上記した課題を解決するために、第１のレンズ鏡筒と、被写体と像を結ぶ結像方向に直交する方向において前記第１のレンズ鏡筒に並んで配置された第２のレンズ鏡筒と、前記第１のレンズ鏡筒と前記第２のレンズ鏡筒が並ぶ並び方向へ前記第１のレンズ鏡筒と前記第２のレンズ鏡筒を付勢する付勢バネと、前記第１のレンズ鏡筒と前記第２のレンズ鏡筒の間に位置し前記結像方向に延びる基準線上を移動される調整部材を有する駆動体とを備え、前記調整部材が移動時に前記第１のレンズ鏡筒と前記第２のレンズ鏡筒に摺動されて前記第１のレンズ鏡筒と前記第２のレンズ鏡筒を同期して移動させ前記第１のレンズ鏡筒の光軸と前記第２のレンズ鏡筒の光軸の間隔又は向きの調整が行われるようにしたものである。
【００１３】
従って、撮像装置にあっては、第１のレンズ鏡筒と第２のレンズ鏡筒がそれぞれ独立した調整機構によって動作されず、駆動体における調整部材の移動動作によって第１のレンズ鏡筒と第２のレンズ鏡筒が動作される。
【００１４】
上記した撮像装置においては、前記結像方向及び前記並び方向にともに直交する方向に延びる一対の支点軸を設け、前記各支点軸を支点としてそれぞれ前記第１のレンズ鏡筒と前記第２のレンズ鏡筒が回動可能とされ、前記第１のレンズ鏡筒と前記第２のレンズ鏡筒がそれぞれ前記支点軸を支点として回動されて前記第１のレンズ鏡筒の光軸と前記第２のレンズ鏡筒の光軸の向きが調整されるようにすることが望ましい。
【００１５】
第１のレンズ鏡筒と第２のレンズ鏡筒がそれぞれ支点軸を支点として回動されて第１のレンズ鏡筒の光軸と第２のレンズ鏡筒の光軸の向きが調整されるようにすることにより、駆動体における調整部材の移動動作によって第１のレンズ鏡筒と第２のレンズ鏡筒が回動されて光軸の向きが調整される。
【００１６】
上記した撮像装置においては、前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に回動されるようにすることが望ましい。
【００１７】
中央線を基準として第１のレンズ鏡筒と第２のレンズ鏡筒が対称に回動されるようにすることにより、中央線を基準として第１のレンズ鏡筒と第２のレンズ鏡筒が回動されて光軸の向きが調整される。
【００１８】
上記した撮像装置においては、前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成されることが望ましい。
【００１９】
調整部材に断面が二等辺三角形状に形成された摺動部を設け、摺動部の一対の傾斜面が移動時にそれぞれ第１のレンズ鏡筒と第２のレンズ鏡筒に摺動される摺動面として形成されることにより、摺動面が第１のレンズ鏡筒と第２のレンズ鏡筒に摺動されて光軸の向きが調整される。
【００２０】
上記した撮像装置においては、前記第１のレンズ鏡筒と前記第２のレンズ鏡筒にそれぞれ前記調整部材の摺動面が接して回転される回転部材を設けることが望ましい。
【００２１】
第１のレンズ鏡筒と第２のレンズ鏡筒にそれぞれ調整部材の摺動面が接して回転される回転部材を設けることにより、調整部材が移動されるときに回転部材が摺動面に接した状態で回転される。
【００２２】
上記した撮像装置においては、前記第１のレンズ鏡筒と前記第２のレンズ鏡筒にそれぞれ前記光軸に対して傾斜され前記調整部材が摺動される被摺動面を形成することが望ましい。
【００２３】
第１のレンズ鏡筒と第２のレンズ鏡筒にそれぞれ光軸に対して傾斜され調整部材が摺動される被摺動面を形成することにより、調整部材が被摺動面に摺動され第１のレンズ鏡筒と第２のレンズ鏡筒が回動されて光軸の向きが調整される。
【００２４】
上記した撮像装置においては、前記調整部材に前記第１のレンズ鏡筒と前記第２のレンズ鏡筒の被摺動面が接して回転される回転部材を設けることが望ましい。
【００２５】
調整部材に第１のレンズ鏡筒と第２のレンズ鏡筒の被摺動面が接して回転される回転部材を設けることにより、調整部材が移動されるときに回転部材が被摺動面に接した状態で回転される。
【００２６】
上記した撮像装置においては、前記駆動体が前記結像方向に離隔して一対設けられ、一方の前記駆動体の移動量と他方の前記駆動体の移動量とに応じて前記第１のレンズ鏡筒の光軸と前記第２のレンズ鏡筒の光軸の間隔と向きの調整が行われるようにすることが望ましい。
【００２７】
一方の駆動体の移動量と他方の駆動体の移動量とに応じて第１のレンズ鏡筒の光軸と第２のレンズ鏡筒の光軸の間隔と向きの調整が行われるようにすることにより、駆動体における調整部材の移動動作によって第１のレンズ鏡筒と第２のレンズ鏡筒が移動されて光軸の間隔と向きが調整される。
【００２８】
上記した撮像装置においては、前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に移動されるようにすることが望ましい。
【００２９】
中央線を基準として第１のレンズ鏡筒と第２のレンズ鏡筒が対称に移動されるようにすることにより、中央線を基準として第１のレンズ鏡筒と第２のレンズ鏡筒が移動されて光軸の間隔と向きが調整される。
【００３０】
上記した撮像装置においては、前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成されることが望ましい。
【００３１】
調整部材に断面が二等辺三角形状に形成された摺動部を設け、摺動部の一対の傾斜面が移動時にそれぞれ第１のレンズ鏡筒と第２のレンズ鏡筒に摺動される摺動面として形成されることにより、摺動面が第１のレンズ鏡筒と第２のレンズ鏡筒に摺動されて光軸の間隔と向きが調整される。
【００３２】
上記した撮像装置においては、前記第１のレンズ鏡筒と前記第２のレンズ鏡筒にそれぞれ前記調整部材の摺動面が接して回転される回転部材を設けることが望ましい。
【００３３】
第１のレンズ鏡筒と第２のレンズ鏡筒にそれぞれ調整部材の摺動面が接して回転される回転部材を設けることにより、調整部材が移動されるときに回転部材が摺動面に接した状態で回転される。
【００３４】
上記した撮像装置においては、前記第１のレンズ鏡筒と前記第２のレンズ鏡筒にそれぞれ前記光軸に対して傾斜され前記調整部材が摺動される被摺動面を形成することが望ましい。
【００３５】
第１のレンズ鏡筒と第２のレンズ鏡筒にそれぞれ光軸に対して傾斜され調整部材が摺動される被摺動面を形成することにより、調整部材が被摺動面に摺動され第１のレンズ鏡筒と第２のレンズ鏡筒が移動されて光軸の間隔と向きが調整される。
【００３６】
上記した撮像装置においては、前記調整部材に前記第１のレンズ鏡筒と前記第２のレンズ鏡筒の被摺動面が接して回転される回転部材を設けることが望ましい。
【００３７】
調整部材に第１のレンズ鏡筒と第２のレンズ鏡筒の被摺動面が接して回転される回転部材を設けることにより、調整部材が移動されるときに回転部材が被摺動面に接した状態で回転される。
【００３８】
上記した撮像装置においては、前記第１のレンズ鏡筒と前記第２のレンズ鏡筒を支持する支持部材を設け、前記支持部材に前記第１のレンズ鏡筒と前記第２のレンズ鏡筒の前記結像方向への移動を規制する規制部を設け、前記第１のレンズ鏡筒と前記第２のレンズ鏡筒にそれぞれ前記規制部に前記並び方向へ移動自在に係合される被規制部を設けることが望ましい。
【００３９】
支持部材に第１のレンズ鏡筒と第２のレンズ鏡筒の結像方向への移動を規制する規制部を設け、第１のレンズ鏡筒と第２のレンズ鏡筒に被規制部を設けることにより、被規制部が規制部に規制されて第１のレンズ鏡筒と第２のレンズ鏡筒が結像方向へ移動されない。
【００４０】
上記した撮像装置においては、前記並び方向に延びるガイド軸を設け、前記第１のレンズ鏡筒と前記第２のレンズ鏡筒が前記ガイド軸に案内されて前記第１のレンズ鏡筒の光軸と前記第２のレンズ鏡筒の光軸の間隔が調整されるようにすることが望ましい。
【００４１】
第１のレンズ鏡筒と第２のレンズ鏡筒がガイド軸に案内されて第１のレンズ鏡筒の光軸と第２のレンズ鏡筒の光軸の間隔が調整されるようにすることにより、駆動体における調整部材の移動動作によって第１のレンズ鏡筒と第２のレンズ鏡筒が移動されて光軸の間隔が調整される。
【００４２】
上記した撮像装置においては、前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に移動されるようにすることが望ましい。
【００４３】
中央線を基準として第１のレンズ鏡筒と第２のレンズ鏡筒が対称に移動されるようにすることにより、中央線を基準として第１のレンズ鏡筒と第２のレンズ鏡筒が回動されて光軸の間隔が調整される。
【００４４】
上記した撮像装置においては、前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成されることが望ましい。
【００４５】
調整部材に断面が二等辺三角形状に形成された摺動部を設け、摺動部の一対の傾斜面が移動時にそれぞれ第１のレンズ鏡筒と第２のレンズ鏡筒に摺動される摺動面として形成されることにより、摺動面が第１のレンズ鏡筒と第２のレンズ鏡筒に摺動されて光軸の間隔が調整される。
【００４６】
上記した撮像装置においては、前記第１のレンズ鏡筒と前記第２のレンズ鏡筒にそれぞれ前記調整部材の摺動面が接して回転される回転部材を設けることが望ましい。
【００４７】
第１のレンズ鏡筒と第２のレンズ鏡筒にそれぞれ調整部材の摺動面が接して回転される回転部材を設けることにより、調整部材が移動されるときに回転部材が摺動面に接した状態で回転される。
【００４８】
上記した撮像装置においては、前記第１のレンズ鏡筒と前記第２のレンズ鏡筒にそれぞれ前記光軸に対して傾斜され前記調整部材が摺動される被摺動面を形成することが望ましい。
【００４９】
第１のレンズ鏡筒と第２のレンズ鏡筒にそれぞれ光軸に対して傾斜され調整部材が摺動される被摺動面を形成することにより、調整部材が被摺動面に摺動され第１のレンズ鏡筒と第２のレンズ鏡筒が移動されて光軸の間隔が調整される。
【００５０】
上記した撮像装置においては、前記調整部材に前記第１のレンズ鏡筒と前記第２のレンズ鏡筒の被摺動面が接して回転される回転部材を設けることが望ましい。
【００５１】
調整部材に第１のレンズ鏡筒と第２のレンズ鏡筒の被摺動面が接して回転される回転部材を設けることにより、調整部材が移動されるときに回転部材が被摺動面に接した状態で回転される。
【発明の効果】
【００５２】
本技術撮像装置は、第１のレンズ鏡筒と、被写体と像を結ぶ結像方向に直交する方向において前記第１のレンズ鏡筒に並んで配置された第２のレンズ鏡筒と、前記第１のレンズ鏡筒と前記第２のレンズ鏡筒が並ぶ並び方向へ前記第１のレンズ鏡筒と前記第２のレンズ鏡筒を付勢する付勢バネと、前記第１のレンズ鏡筒と前記第２のレンズ鏡筒の間に位置し前記結像方向に延びる基準線上を移動される調整部材を有する駆動体とを備え、前記調整部材が移動時に前記第１のレンズ鏡筒と前記第２のレンズ鏡筒に摺動されて前記第１のレンズ鏡筒と前記第２のレンズ鏡筒を同期して移動させ前記第１のレンズ鏡筒の光軸と前記第２のレンズ鏡筒の光軸の間隔又は向きの調整が行われるようにしている。
【００５３】
従って、第１のレンズ鏡筒と第２のレンズ鏡筒をそれぞれ独立した調整機構を用いて動作させないため、駆動体が簡素な機構であり、簡素な機構によって第１のレンズ鏡筒の光軸と第２のレンズ鏡筒の光軸の間隔又は向きが調整されるため、製造コストの高騰を来たすことなく画質の向上を図ることができる。
【００５４】
請求項２に記載した技術にあっては、前記結像方向及び前記並び方向にともに直交する方向に延びる一対の支点軸を設け、前記各支点軸を支点としてそれぞれ前記第１のレンズ鏡筒と前記第２のレンズ鏡筒が回動可能とされ、前記第１のレンズ鏡筒と前記第２のレンズ鏡筒がそれぞれ前記支点軸を支点として回動されて前記第１のレンズ鏡筒の光軸と前記第２のレンズ鏡筒の光軸の向きが調整されるようにしている。
【００５５】
従って、第１のレンズ鏡筒と第２のレンズ鏡筒をそれぞれ独立した調整機構を用いて動作させないため、駆動体が簡素な機構であり、簡素な機構によって第１のレンズ鏡筒の光軸と第２のレンズ鏡筒の光軸の向きが調整されるため、製造コストの高騰を来たすことなく画質の向上を図ることができる。
【００５６】
請求項３に記載した技術にあっては、前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に回動されるようにしている。
【００５７】
従って、第１のレンズ鏡筒の光軸と第２のレンズ鏡筒の光軸の向きの高精度な調整を行うことができる。
【００５８】
請求項４に記載した技術にあっては、前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成されている。
【００５９】
従って、第１のレンズ鏡筒及び第２のレンズ鏡筒と調整部材の構成が簡素であるため、製造コストの低減を図った上で画質の向上を図ることができる。
【００６０】
請求項５に記載した技術にあっては、前記第１のレンズ鏡筒と前記第２のレンズ鏡筒にそれぞれ前記調整部材の摺動面が接して回転される回転部材を設けている。
【００６１】
従って、調整部材の移動動作及び第１のレンズ鏡筒と第２のレンズ鏡筒の回動動作を円滑に行うことができると共に駆動体の負荷が低減され駆動体の小型化を図ることができる。
【００６２】
請求項６に記載した技術にあっては、前記第１のレンズ鏡筒と前記第２のレンズ鏡筒にそれぞれ前記光軸に対して傾斜され前記調整部材が摺動される被摺動面を形成している。
【００６３】
従って、調整部材を単純な形状に形成することが可能になるため、機構の簡素化による製造コストの低減を図った上で画質の向上を図ることができる。
【００６４】
請求項７に記載した技術にあっては、前記調整部材に前記第１のレンズ鏡筒と前記第２のレンズ鏡筒の被摺動面が接して回転される回転部材を設けている。
【００６５】
従って、調整部材の移動動作及び第１のレンズ鏡筒と第２のレンズ鏡筒の回動動作を円滑に行うことができると共に駆動体の負荷が低減され駆動体の小型化を図ることができる。
【００６６】
請求項８に記載した技術にあっては、前記駆動体が前記結像方向に離隔して一対設けられ、一方の前記駆動体の移動量と他方の前記駆動体の移動量とに応じて前記第１のレンズ鏡筒の光軸と前記第２のレンズ鏡筒の光軸の間隔と向きの調整が行われるようにしている。
【００６７】
従って、第１のレンズ鏡筒と第２のレンズ鏡筒をそれぞれ独立した調整機構を用いて動作させないため、駆動体が簡素な機構であり、簡素な機構によって第１のレンズ鏡筒の光軸と第２のレンズ鏡筒の光軸の間隔と向きが調整されるため、製造コストの高騰を来たすことなく画質の向上を図ることができる。
【００６８】
請求項９に記載した技術にあっては、前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に移動されるようにしている。
【００６９】
従って、第１のレンズ鏡筒の光軸と第２のレンズ鏡筒の光軸の間隔と向きの高精度な調整を行うことができる。
【００７０】
請求項１０に記載した技術にあっては、前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成されている。
【００７１】
従って、第１のレンズ鏡筒及び第２のレンズ鏡筒と調整部材の構成が簡素であるため、製造コストの低減を図った上で画質の向上を図ることができる。
【００７２】
請求項１１に記載した技術にあっては、前記第１のレンズ鏡筒と前記第２のレンズ鏡筒にそれぞれ前記調整部材の摺動面が接して回転される回転部材を設けている。
【００７３】
従って、調整部材の移動動作及び第１のレンズ鏡筒と第２のレンズ鏡筒の移動動作を円滑に行うことができると共に駆動体の負荷が低減され駆動体の小型化を図ることができる。
【００７４】
請求項１２に記載した技術にあっては、前記第１のレンズ鏡筒と前記第２のレンズ鏡筒にそれぞれ前記光軸に対して傾斜され前記調整部材が摺動される被摺動面を形成している。
【００７５】
従って、調整部材を単純な形状に形成することが可能になるため、機構の簡素化による製造コストの低減を図った上で画質の向上を図ることができる。
【００７６】
請求項１３に記載した技術にあっては、前記調整部材に前記第１のレンズ鏡筒と前記第２のレンズ鏡筒の被摺動面が接して回転される回転部材を設けている。
【００７７】
従って、調整部材の移動動作及び第１のレンズ鏡筒と第２のレンズ鏡筒移動動動作を円滑に行うことができると共に駆動体の負荷が低減され駆動体の小型化を図ることができる。
【００７８】
請求項１４に記載した技術にあっては、前記第１のレンズ鏡筒と前記第２のレンズ鏡筒を支持する支持部材を設け、前記支持部材に前記第１のレンズ鏡筒と前記第２のレンズ鏡筒の前記結像方向への移動を規制する規制部を設け、前記第１のレンズ鏡筒と前記第２のレンズ鏡筒にそれぞれ前記規制部に前記並び方向へ移動自在に係合される被規制部を設けている。
【００７９】
従って、一方の駆動体の調整部材と他方の駆動体の調整部材とからの第１のレンズ鏡筒と第２のレンズ鏡筒に付与される負荷が相違する場合においても、第１のレンズ鏡筒と第２のレンズ鏡筒が結像方向へ移動されず、第１のレンズ鏡筒の光軸と第２のレンズ鏡筒の光軸の間隔と向きの調整精度の向上を図ることができる。
【００８０】
請求項１５に記載した技術にあっては、前記並び方向に延びるガイド軸を設け、前記第１のレンズ鏡筒と前記第２のレンズ鏡筒が前記ガイド軸に案内されて前記第１のレンズ鏡筒の光軸と前記第２のレンズ鏡筒の光軸の間隔が調整されるようにしている。
【００８１】
従って、第１のレンズ鏡筒と第２のレンズ鏡筒をそれぞれ独立した調整機構を用いて動作させないため、駆動体が簡素な機構であり、簡素な機構によって第１のレンズ鏡筒の光軸と第２のレンズ鏡筒の光軸の向きが調整されるため、製造コストの高騰を来たすことなく画質の向上を図ることができる。
【００８２】
請求項１６に記載した技術にあっては、前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に移動されるようにしている。
【００８３】
従って、第１のレンズ鏡筒の光軸と第２のレンズ鏡筒の光軸の間隔の高精度な調整を行うことができる。
【００８４】
請求項１７に記載した技術にあっては、前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成されている。
【００８５】
従って、第１のレンズ鏡筒及び第２のレンズ鏡筒と調整部材の構成が簡素であるため、製造コストの低減を図った上で画質の向上を図ることができる。
【００８６】
請求項１８に記載した技術にあっては、前記第１のレンズ鏡筒と前記第２のレンズ鏡筒にそれぞれ前記調整部材の摺動面が接して回転される回転部材を設けている。
【００８７】
従って、調整部材の移動動作及び第１のレンズ鏡筒と第２のレンズ鏡筒の移動動作を円滑に行うことができると共に駆動体の負荷が低減され駆動体の小型化を図ることができる。
【００８８】
請求項１９に記載した技術にあっては、前記第１のレンズ鏡筒と前記第２のレンズ鏡筒にそれぞれ前記光軸に対して傾斜され前記調整部材が摺動される被摺動面を形成している。
【００８９】
従って、調整部材を単純な形状に形成することが可能になるため、機構の簡素化による製造コストの低減を図った上で画質の向上を図ることができる。
【００９０】
請求項２０に記載した技術にあっては、前記調整部材に前記第１のレンズ鏡筒と前記第２のレンズ鏡筒の被摺動面が接して回転される回転部材を設けている。
【００９１】
従って、調整部材の移動動作及び第１のレンズ鏡筒と第２のレンズ鏡筒の移動動作を円滑に行うことができると共に駆動体の負荷が低減され駆動体の小型化を図ることができる。
【発明を実施するための最良の形態】
【００９２】
以下に、本技術を実施するための最良の形態を添付図面に従って説明する。
【００９３】
以下に示した最良の形態は、本技術撮像装置をビデオカメラに適用したものである。尚、本技術の適用範囲はビデオカメラに限られることはなく、例えば、スチルカメラや他の機器に組み込まれる各種の撮像装置に広く適用することができる。
【００９４】
以下の説明にあっては、ビデオカメラの撮影時において撮影者から見た方向で前後上下左右の方向を示すものとする。従って、被写体側が前方となり、撮影者側が後方となる。
【００９５】
尚、以下に示す前後上下左右の方向は説明の便宜上のものであり、本技術の実施に関しては、これらの方向に限定されることはない。
【００９６】
＜第１の実施の形態＞
［撮像装置の構成］
先ず、第１の実施の形態における撮像装置１の構成について説明する。
【００９７】
撮像装置１は装置本体２と装置本体２の前面に設けられた第１のレンズ鏡筒３及び第２のレンズ鏡筒４とを備えている（図１参照）。第１のレンズ鏡筒３と第２のレンズ鏡筒４は左右方向に並んで配置され、第１のレンズ鏡筒３と第２のレンズ鏡筒４が並んだこの方向が並び方向とされ、前後方向が被写体と像を結ぶ結像方向とされる。
【００９８】
装置本体２は筐体５の内部に所要の各部が配置されて成り、筐体５の外周面には操作部６、６、・・・が配置されている。操作部６、６、・・・としては、例えば、電源釦、録画釦、ズームスイッチ、モード切替摘子等が設けられている。
【００９９】
装置本体２の側面には表示パネル７が開閉自在に連結されている。表示パネル７は表示部７ａとして、例えば、液晶ディスプレイを有している。
【０１００】
第１のレンズ鏡筒３と第２のレンズ鏡筒４は、例えば、左右に並んでケース体８の内部に配置されている。ケース体８は軸方向が前後方向とされた筒状に形成され、後端部が装置本体２の前面に結合されている。
【０１０１】
第１のレンズ鏡筒３と第２のレンズ鏡筒４としては同一の大きさ及び同一又は対称の形状に形成されたものが用いられている。
【０１０２】
ケース体８の前端部にはレンズバリア９が取り付けられている。レンズバリア９は左右に並ぶ開閉部材９ａ、９ａを有し、開閉部材９ａ、９ａが動作されることによりそれぞれ第１のレンズ鏡筒３と第２のレンズ鏡筒４が開閉される。
【０１０３】
ケース体８の内部には第１のレンズ鏡筒３と第２のレンズ鏡筒４を有する調整ブロック１０が配置されている。
【０１０４】
第１のレンズ鏡筒３と第２のレンズ鏡筒４は、図２に示すように、それぞれ後方に開口された矩形の箱状に形成された鏡筒部１１、１２と鏡筒部１１、１２の内部に前後方向（光軸方向）に並んで配置された複数のレンズ等によって構成された光学系とを有している。
【０１０５】
鏡筒部１１、１２の前端部にはそれぞれ光学系の一部を構成するレンズ１３、１４が保持されている。鏡筒部１１、１２の隣り合って位置する後縁はそれぞれ被摺動縁１１ａ、１２ａとして形成されている。
【０１０６】
第１のレンズ鏡筒３と第２のレンズ鏡筒４は付勢バネ１５によって連結されている。付勢バネ１５は、例えば、引張コイルバネであり、付勢バネ１５によって第１のレンズ鏡筒３と第２のレンズ鏡筒４が左右方向において互いに近付く方向へ付勢されている。尚、付勢バネ１５の数は任意であり、例えば、上下に離隔して複数が設けられていてもよい。
【０１０７】
第１のレンズ鏡筒３と第２のレンズ鏡筒４はそれぞれ支点軸１６、１６、１７、１７を支点として回動可能とされている。支点軸１６、１６は第１のレンズ鏡筒３の上下両面からそれぞれ上下に突出され、支点軸１７、１７は第２のレンズ鏡筒４の上下両面からそれぞれ上下に突出されている。支点軸１６、１６、１７、１７はそれぞれ上下両端部がケース体８に設けられた図示しない支持部に回動自在に支持されている。支点軸１６、１６、１７、１７は、例えば、それぞれ第１のレンズ鏡筒３と第２のレンズ鏡筒４の前端寄りの位置に設けられている。
【０１０８】
尚、上記には、第１のレンズ鏡筒３と第２のレンズ鏡筒４に上下に突出されて設けられた支点軸１６、１６、１７、１７を例として示したが、例えば、第１のレンズ鏡筒３と第２のレンズ鏡筒４がそれぞれ鏡筒部１１、１２を貫通された支点軸を支点として回動可能とされていてもよい。この場合には、支点軸がそれぞれ鏡筒部１１、１２の内部に配置された光学系と干渉しない位置に配置されていることが望ましい。支点軸が光学系と干渉しない位置に配置されることにより、第１のレンズ鏡筒３と第２のレンズ鏡筒４に取り込まれる光に支点軸が影響を与えず、画質の向上を図ることができる。
【０１０９】
ケース体８の内部には第１のレンズ鏡筒３と第２のレンズ鏡筒４の後側に調整ブロック１０の一部を構成する駆動体１８が配置されている。駆動体１８は駆動モーター１９と駆動モーター１９によって回転される送りネジ２０と駆動モーター１９に伴って回転される遮光板２１と送りネジ２０の回転によって前後方向へ移動される調整部材２２とを有している。
【０１１０】
駆動体１８は第１のレンズ鏡筒３と第２のレンズ鏡筒４の間に位置し前後方向に延びる基準線Ｍ（図３参照）に送りネジ２０の中心軸が一致する位置に配置されている。特に、基準線Ｍは第１のレンズ鏡筒３と第２のレンズ鏡筒４の中央に位置する中央線Ｍとされることが望ましい。
【０１１１】
遮光板２１の側方にはフォトセンサー２３が配置されている（図２及び図３参照）。駆動モーター１９の回転に伴って遮光板２１が回転されると、遮光板２１の回転位置に応じてフォトセンサー２３によって調整部材２２の移動位置が検出される。
【０１１２】
調整部材２２は三角柱状に形成された摺動部２４を有し、摺動部２４の水平断面形状は頂点（頂辺）２４ａが前端に位置する二等辺三角形状にされている。摺動部２４の頂点２４ａは中央線Ｍ上に位置されている。
【０１１３】
摺動部２４の二つの傾斜面、即ち、前斜め側方を向く面は摺動面２４ｂ、２４ｂとして形成されている。尚、中央線Ｍが第１のレンズ鏡筒３と第２のレンズ鏡筒４の中央には位置しない基準線Ｍである場合には、摺動部は二等辺三角形以外の三角形であってもよく、摺動面の基準線Ｍに対する傾斜角度が異なるようにされていてもよい。但し、このような二等辺三角形以外の三角形に形成された摺動部においても、頂点は基準線Ｍ上に位置される。
【０１１４】
調整部材２２には後方から送りネジ２０が挿入され、送りネジ２０が調整部材２２に螺合されている。調整部材２２は図示しない回転規制部材によって送りネジ２０の回転方向への回転が規制されており、送りネジ２０の回転方向に応じて前後方向へ移動される。
【０１１５】
［撮像装置の動作］
以下に、撮像装置１の動作について説明する（図３及び図４参照）。
【０１１６】
上記のように構成された撮像装置１において、初期状態においては第１のレンズ鏡筒３と第２のレンズ鏡筒４は光軸Ｐ１、Ｐ２がそれぞれ前後に延びる向きとされ、調整部材２２が移動範囲における後端に位置されている（図３参照）。このとき調整部材２２は前端部が第１のレンズ鏡筒３と第２のレンズ鏡筒４の間に挿入され、摺動面２４ｂ、２４ｂが第１のレンズ鏡筒３の被摺動縁１１ａと第２のレンズ鏡筒４の被摺動縁１２ａにそれぞれ接触されている。
【０１１７】
初期状態においては、第１のレンズ鏡筒３の光軸Ｐ１と第２のレンズ鏡筒４の光軸Ｐ２とがそれぞれ前後方向に延び平行な状態とされている。
【０１１８】
上記した初期状態において駆動モーター１９の駆動力により送りネジ２０が回転されると、調整部材２２が前方へ移動され摺動面２４ｂ、２４ｂがそれぞれ第１のレンズ鏡筒３の被摺動縁１１ａと第２のレンズ鏡筒４の被摺動縁１２ａに摺動される。調整部材２２が前方へ移動され摺動面２４ｂ、２４ｂが被摺動縁１１ａ、１２ａに摺動されることにより、第１のレンズ鏡筒３と第２のレンズ鏡筒４がそれぞれ支点軸１６、１６と支点軸１７、１７を支点として付勢バネ１５の付勢力に抗して同期して回動される（図４参照）。このとき第１のレンズ鏡筒３と第２のレンズ鏡筒４は中央線Ｍを基準として対称な位置に回動されていく。
【０１１９】
従って、光軸Ｐ１と光軸Ｐ２が為す角度、即ち、輻輳角θが大きくなっていく。輻輳角θは調整部材２２の前後方向における移動量に応じて任意の角度に設定される。
【０１２０】
駆動モーター１９の回転による調整部材２２の移動時には、駆動モーター１９の回転に伴って遮光板２１が回転され、フォトセンサー２３による遮光板２１の回転角度の検出結果に基づいて調整部材２２の移動量が検知される。従って、フォトセンサー２３による遮光板２１の回転角度の検出結果に基づいて調整部材２２の移動量が制御され、輻輳角θが所望の角度に設定されたときに駆動モーター１９の回転が停止されて調整部材２２の移動が停止される。
【０１２１】
逆に、駆動モーター１９が上記とは逆方向へ回転されて調整部材２２が後方へ移動されると、付勢バネ１５の付勢力によって第１のレンズ鏡筒３と第２のレンズ鏡筒４が回動される。このとき摺動面２４ｂ、２４ｂがそれぞれ第１のレンズ鏡筒３の被摺動縁１１ａと第２のレンズ鏡筒４の被摺動縁１２ａに摺動される。調整部材２２が後方へ移動されることにより輻輳角θが小さくなっていく。
【０１２２】
上記した輻輳角θの調整は、撮像装置１の使用者の操作により行われるようにしてもよく、また、ズーミングやフォーカシングの動作に伴って自動で行われるようにしてもよい。
【０１２３】
［第１の実施の形態に係る撮像装置における調整ブロックの変形例］
以下に、調整ブロックの各変形例について説明する（図５乃至図９参照）。
【０１２４】
尚、以下に示す各変形例に係る調整ブロックは、上記した調整ブロック１０と比較して、調整部材の構成又は第１のレンズ鏡筒と第２のレンズ鏡筒の構成が異なることのみが相違するため、調整ブロック１０と比較して異なる部分についてのみ詳細に説明をし、その他の部分については調整ブロック１０における同様の部分に付した符号と同じ符号を付して説明は省略する。
【０１２５】
＜第１の変形例＞
第１の変形例に係る調整ブロック１０Ａは第１のレンズ鏡筒３Ａと第２のレンズ鏡筒４Ａと駆動体１８を有している（図５参照）。
【０１２６】
第１のレンズ鏡筒３Ａの鏡筒部１１Ａと第２のレンズ鏡筒４Ａの鏡筒部１２Ａの隣り合って位置する後端部にはそれぞれ回転部材２５、２５が支持されている。回転部材２５、２５はそれぞれ上下に延びる軸を支点として回転可能とされている。
【０１２７】
駆動モーター１９の駆動力により調整部材２２が前後方向へ移動されるときには、回転部材２５、２５が摺動面２４ｂ、２４ｂに接した状態で回転される。
【０１２８】
従って、調整部材２２の移動動作及び第１のレンズ鏡筒３Ａと第２のレンズ鏡筒４Ａの回動動作を円滑に行うことができると共に駆動モーター１９の負荷が低減され駆動モーター１９の小型化を図ることができる。
【０１２９】
＜第２の変形例＞
第２の変形例に係る調整ブロック１０Ｂは第１のレンズ鏡筒３Ｂと第２のレンズ鏡筒４Ｂと駆動体１８Ｂを有している（図６参照）。
【０１３０】
第１のレンズ鏡筒３Ｂの鏡筒部１１Ｂと第２のレンズ鏡筒４Ｂの鏡筒部１２Ｂの隣り合って位置する後端部にはそれぞれ被摺動面１１ｂ、１２ｂが形成されている。被摺動面１１ｂ、１２ｂは後方へ行くに従って互いに離隔する傾斜面として形成されている。
【０１３１】
駆動体１８Ｂは駆動モーター１９と送りネジ２０と遮光板２１と調整部材２２Ｂを有している。
【０１３２】
調整部材２２Ｂの摺動部２４Ｂは直方体状に形成され、前面における左右両側縁がそれぞれ摺動縁２４ｃ、２４ｃとして形成されている。
【０１３３】
駆動モーター１９の駆動力により調整部材２２Ｂが前後方向へ移動されるときには、摺動縁２４ｃ、２４ｃが被摺動面１１ｂ、１２ｂに摺動され、第１のレンズ鏡筒３Ｂと第２のレンズ鏡筒４Ｂがそれぞれ支点軸１６、１６と支点軸１７、１７を支点として回動される。
【０１３４】
このように調整ブロック１０Ｂにあっては、第１のレンズ鏡筒３Ｂと第２のレンズ鏡筒４Ｂにそれぞれ形成された被摺動面１１ｂ、１２ｂに調整部材２２Ｂの摺動縁２４ｃ、２４ｃが摺動されて第１のレンズ鏡筒３Ｂと第２のレンズ鏡筒４Ｂが回動されて輻輳角が調整される。
【０１３５】
従って、調整部材２２Ｂが単純な形状であるため、機構の簡素化による製造コストの低減を図った上で画質の向上を図ることができる。
【０１３６】
＜第３の変形例＞
第３の変形例に係る調整ブロック１０Ｃは第１のレンズ鏡筒３Ｂと第２のレンズ鏡筒４Ｂと駆動体１８Ｃを有している（図７参照）。
【０１３７】
駆動体１８Ｃは駆動モーター１９と送りネジ２０と遮光板２１と調整部材２２Ｃを有している。
【０１３８】
調整部材２２Ｃの摺動部２４Ｃは直方体状に形成され、前端部における左右両端部にそれぞれ回転部材２５、２５が支持されている。
【０１３９】
駆動モーター１９の駆動力により調整部材２２Ｃが前後方向へ移動されるときには、回転部材２５、２５が被摺動面１１ｂ、１２ｂに接した状態で回転される。
【０１４０】
従って、調整部材２２Ｃの移動動作及び第１のレンズ鏡筒３Ｂと第２のレンズ鏡筒４Ｂの回動動作を円滑に行うことができると共に駆動モーター１９の負荷が低減され駆動モーター１９の小型化を図ることができる。
【０１４１】
＜第４の変形例＞
第４の変形例に係る調整ブロック１０Ｄは第１のレンズ鏡筒３Ｄと第２のレンズ鏡筒４Ｄと駆動体１８Ｄを有している（図８及び図９参照）。
【０１４２】
鏡筒部１１Ｄ、１２Ｄの隣り合って位置する後端部にはそれぞれ後方へ突出された被摺動突部１１ｃ、１２ｃが設けられ、被摺動突部１１ｃ、１２ｃの後面における外縁がそれぞれ被摺動縁１１ｄ、１２ｄとして形成されている。
【０１４３】
第１のレンズ鏡筒３Ｄと第２のレンズ鏡筒４Ｄは付勢バネ１５Ｄによって連結されている。付勢バネ１５Ｄは、例えば、圧縮コイルバネであり、付勢バネ１５Ｄによって第１のレンズ鏡筒３Ｄと第２のレンズ鏡筒４Ｄが左右方向において互いに離隔する方向へ付勢されている。尚、付勢バネ１５Ｄの数は任意であり、例えば、上下に離隔して複数が設けられていてもよい。
【０１４４】
駆動体１８Ｄは駆動モーター１９と送りネジ２０と遮光板２１と調整部材２２Ｄを有している。
【０１４５】
調整部材２２Ｄはベース部２６とベース部２６の左右両端部からそれぞれ前方へ突出された突状部２７、２７とから成り、突状部２７、２７にそれぞれ斜面２７ａ、２７ａが形成されている。斜面２７ａ、２７ａは前方へ行くに従って互いに離隔するように形成されている。
【０１４６】
駆動モーター１９の駆動力により調整部材２２Ｄが前後方向へ移動されるときには、被摺動縁１１ｄ、１２ｄが斜面２７ａ、２７ａに摺動され、第１のレンズ鏡筒３Ｄと第２のレンズ鏡筒４Ｄがそれぞれ支点軸１６、１６と支点軸１７、１７を支点として回動される。このとき輻輳角θが小さくなる方向へ第１のレンズ鏡筒３Ｄと第２のレンズ鏡筒４Ｄが回動される場合（図８参照）には、付勢バネ１５Ｄの付勢力に抗して第１のレンズ鏡筒３Ｄと第２のレンズ鏡筒４Ｄが回動され、輻輳角θが大きくなる方向へ第１のレンズ鏡筒３Ｄと第２のレンズ鏡筒４Ｄが回動される場合（図９参照）には、付勢バネ１５Ｄの付勢力によって第１のレンズ鏡筒３Ｄと第２のレンズ鏡筒４Ｄが回動される。
【０１４７】
［第１の実施の形態における撮像装置の効果］
上記した第１の実施の形態においては、中央線（基準線）Ｍ上を移動される駆動体１８、１８Ｂ、１８Ｃ、１８Ｄによって第１のレンズ鏡筒３、３Ａ、３Ｂ、３Ｄと第２のレンズ鏡筒４、４Ａ、４Ｂ、４Ｄが同期して回動されて光軸Ｐ１と光軸Ｐ２が為す輻輳角が調整される。
【０１４８】
従って、第１のレンズ鏡筒３、３Ａ、３Ｂ、３Ｄと第２のレンズ鏡筒４、４Ａ、４Ｂ、４Ｄをそれぞれ独立した調整機構を用いて動作させないため、駆動体１８、１８Ｂ、１８Ｃ、１８Ｄが簡素な機構であり、簡素な機構によって輻輳角が調整されるため、製造コストの高騰を来たすことなく画質の向上を図ることができる。
【０１４９】
また、第１のレンズ鏡筒３、３Ａ、３Ｂ、３Ｄと第２のレンズ鏡筒４、４Ａ、４Ｂ、４Ｄが中央線Ｍを基準として対称に回動されるため、輻輳角の高精度な調整を行うことができる。
【０１５０】
さらに、摺動部２４の断面が二等辺三角形状に形成された調整部材２２の摺動面２４ｂ、２４ｂがそれぞれ第１のレンズ鏡筒３、３Ａと第２のレンズ鏡筒４、４Ａに摺動される構成においては、第１のレンズ鏡筒３、３Ａ及び第２のレンズ鏡筒４、４Ａと調整部材２２の構成が簡素であるため、製造コストの低減を図った上で画質の向上を図ることができる。
【０１５１】
＜第２の実施の形態＞
［撮像装置の構成］
次に、第２の実施の形態における撮像装置３１の構成について説明する。
【０１５２】
尚、以下に示す第２の実施の形態における撮像装置３１は、上記した撮像装置１と比較して、調整ブロックの構成が異なることのみが相違するため、撮像装置１と比較して異なる部分についてのみ詳細に説明をし、その他の部分については撮像装置１における同様の部分に付した符号と同じ符号を付して説明は省略する。
【０１５３】
撮像装置３１は装置本体２と装置本体２の前面に設けられた第１のレンズ鏡筒３３及び第２のレンズ鏡筒３４とを備えている（図１参照）。
【０１５４】
第１のレンズ鏡筒３３と第２のレンズ鏡筒３４は、例えば、左右に並んでケース体８の内部に配置されている。第１のレンズ鏡筒３３と第２のレンズ鏡筒３４としては同一の大きさ及び同一又は対称な形状に形成されたものが用いられている。
【０１５５】
ケース体８の内部には第１のレンズ鏡筒３３と第２のレンズ鏡筒３４を有する調整ブロック４０が配置されている。
【０１５６】
第１のレンズ鏡筒３３と第２のレンズ鏡筒３４は、図１０に示すように、それぞれ後方に開口された矩形の箱状に形成された鏡筒部４１、４２と鏡筒部４１、４２の内部に前後方向（光軸方向）に並んで配置された複数のレンズ等によって構成された光学系とを有している。
【０１５７】
鏡筒部４１、４２の前端部にはそれぞれ光学系の一部を構成するレンズ４３、４４が保持されている。鏡筒部４１、４２の隣り合って位置する後縁はそれぞれ被摺動縁４１ａ、４２ａとして形成されている。
【０１５８】
第１のレンズ鏡筒３３と第２のレンズ鏡筒３４は付勢バネ４５によって連結されている。付勢バネ４５は、例えば、引張コイルバネであり、付勢バネ４５によって第１のレンズ鏡筒３３と第２のレンズ鏡筒３４が左右方向において互いに近付く方向へ付勢されている。尚、付勢バネ４５の数は任意であり、例えば、上下に離隔して複数が設けられていてもよい。
【０１５９】
第１のレンズ鏡筒３３と第２のレンズ鏡筒３４はそれぞれガイド軸４６、４７に案内されて左右方向へ移動可能とされている。ガイド軸４６、４７は左右方向に延び上下に離隔して配置されている。ガイド軸４６、４７はそれぞれ左右両端部がケース体８に設けられた図示しない取付部に取り付けられている。ガイド軸４６、４７は、例えば、それぞれ第１のレンズ鏡筒３３と第２のレンズ鏡筒３４の前後方向における略中央部に配置されている。
【０１６０】
ケース体８の内部には第１のレンズ鏡筒３３と第２のレンズ鏡筒３４の後側に調整ブロック４０の一部を構成する駆動体１８が配置されている。駆動体１８は駆動モーター１９と駆動モーター１９によって回転される送りネジ２０と駆動モーター１９に伴って回転される遮光板２１と送りネジ２０の回転によって前後方向へ移動される調整部材２２とを有している。
【０１６１】
駆動体１８は第１のレンズ鏡筒３３と第２のレンズ鏡筒３４の前後方向に延びる中央線Ｍ（図１１参照）に送りネジ２０の中心軸が一致する位置に配置されている。
【０１６２】
遮光板２１の側方にはフォトセンサー２３が配置されている（図１０及び図１１参照）。駆動モーター１９の回転に伴って遮光板２１が回転されると、遮光板２１の回転位置に応じてフォトセンサー２３によって調整部材２２の移動位置が検出される。
【０１６３】
調整部材２２は三角柱状に形成された摺動部２４を有し、摺動部２４の水平断面形状は頂点（頂辺）２４ａが前端に位置する二等辺三角形状にされている。摺動部２４の頂点２４ａは中央線Ｍ上に位置されている。
【０１６４】
摺動部２４の二つの傾斜面、即ち、前斜め側方を向く面は摺動面２４ｂ、２４ｂとして形成されている。
【０１６５】
調整部材２２には後方から送りネジ２０が挿入され、送りネジ２０が調整部材２２に螺合されている。調整部材２２は図示しない回転規制部材によって送りネジ２０の回転方向への回転が規制されており、送りネジ２０の回転方向に応じて前後方向へ移動される。
【０１６６】
［撮像装置の動作］
以下に、撮像装置３１の動作について説明する（図１１及び図１２参照）。
【０１６７】
上記のように構成された撮像装置３１において、初期状態においては第１のレンズ鏡筒３３と第２のレンズ鏡筒３４は光軸Ｐ１、Ｐ２がそれぞれ前後に延びる向きとされ、調整部材２２が移動範囲における後端に位置されている（図１１参照）。このとき調整部材２２は前端部が第１のレンズ鏡筒３３と第２のレンズ鏡筒３４の間に挿入され、摺動面２４ｂ、２４ｂが第１のレンズ鏡筒３３の被摺動縁４１ａと第２のレンズ鏡筒３４の被摺動縁４２ａにそれぞれ接触されている。
【０１６８】
初期状態においては、第１のレンズ鏡筒３３の光軸Ｐ１と第２のレンズ鏡筒３４の光軸Ｐ２とがそれぞれ前後方向に延び平行な状態とされ光軸Ｐ１と光軸Ｐ２の間隔Ｌが最も小さくされている。
【０１６９】
上記した初期状態において駆動モーター１９の駆動力により送りネジ２０が回転されると、調整部材２２が前方へ移動され摺動面２４ｂ、２４ｂがそれぞれ第１のレンズ鏡筒３３の被摺動縁４１ａと第２のレンズ鏡筒３４の被摺動縁４２ａに摺動される。調整部材２２が前方へ移動され摺動面２４ｂ、２４ｂが被摺動縁４１ａ、４２ａと摺動されることにより、第１のレンズ鏡筒３３と第２のレンズ鏡筒３４がガイド軸４６、４７に案内されて付勢バネ４５の付勢力に抗して同期して移動される（図１２参照）。このとき第１のレンズ鏡筒３３と第２のレンズ鏡筒３４は中央線Ｍを基準として対称な位置に移動されていく。
【０１７０】
従って、光軸Ｐ１と光軸Ｐ２の間隔、即ち、基線長Ｌが大きくなる。基線長Ｌは調整部材２２の前後方向における移動量に応じて任意の大きさに設定される。
【０１７１】
駆動モーター１９の回転による調整部材２２の移動時には、駆動モーター１９の回転に伴って遮光板２１が回転され、フォトセンサー２３による遮光板２１の回転角度の検出結果に基づいて調整部材２２の移動量が検知される。従って、フォトセンサー２３による遮光板２１の回転角度の検出結果に基づいて調整部材２２の移動量が制御され、基線長Ｌが所望の大きさに設定されたときに駆動モーター１９の回転が停止されて調整部材２２の移動が停止される。
【０１７２】
逆に、駆動モーター１９が上記とは逆方向へ回転されて調整部材２２が後方へ移動されると、付勢バネ４５の付勢力によって第１のレンズ鏡筒３３と第２のレンズ鏡筒３４が移動される。このとき摺動面２４ｂ、２４ｂがそれぞれ第１のレンズ鏡筒３３の被摺動縁４１ａと第２のレンズ鏡筒３４の被摺動縁４２ａに摺動される。調整部材２２が後方へ移動されることにより基線長Ｌが小さくなっていく。
【０１７３】
上記した基線長Ｌの調整は、撮像装置３１の使用者の操作により行われるようにしてもよく、また、ズーミングやフォーカシングの動作に伴って自動で行われるようにしてもよい。
【０１７４】
［第２の実施の形態に係る撮像装置における調整ブロックの変形例］
以下に、調整ブロックの各変形例について説明する（図１３乃至図１７参照）。
【０１７５】
尚、以下に示す各変形例に係る調整ブロックは、上記した調整ブロック４０と比較して、調整部材の構成又は第１のレンズ鏡筒と第２のレンズ鏡筒の構成が異なることのみが相違するため、調整ブロック４０と比較して異なる部分についてのみ詳細に説明をし、その他の部分については調整ブロック４０における同様の部分に付した符号と同じ符号を付して説明は省略する。
【０１７６】
＜第１の変形例＞
第１の変形例に係る調整ブロック４０Ａは第１のレンズ鏡筒３３Ａと第２のレンズ鏡筒３４Ａと駆動体１８を有している（図１３参照）。
【０１７７】
第１のレンズ鏡筒３３Ａの鏡筒部４１Ａと第２のレンズ鏡筒３４Ａの鏡筒部４２Ａの隣り合って位置する後端部にはそれぞれ回転部材２５、２５が支持されている。回転部材２５、２５はそれぞれ上下に延びる軸を支点として回転可能とされている。
【０１７８】
駆動モーター１９の駆動力により調整部材２２が前後方向へ移動されるときには、回転部材２５、２５が摺動面２４ｂ、２４ｂに接した状態で回転される。
【０１７９】
従って、調整部材２２の移動動作及び第１のレンズ鏡筒３３Ａと第２のレンズ鏡筒３４Ａの移動動作を円滑に行うことができると共に駆動モーター１９の負荷が低減され駆動モーター１９の小型化を図ることができる。
【０１８０】
＜第２の変形例＞
第２の変形例に係る調整ブロック４０Ｂは第１のレンズ鏡筒３３Ｂと第２のレンズ鏡筒３４Ｂと駆動体１８Ｂを有している（図１４参照）。
【０１８１】
第１のレンズ鏡筒３３Ｂの鏡筒部４１Ｂと第２のレンズ鏡筒３４Ｂの鏡筒部４２Ｂの隣り合って位置する後端部にはそれぞれ被摺動面４１ｂ、４２ｂが形成されている。被摺動面４１ｂ、４２ｂは後方へ行くに従って互いに離隔する傾斜面として形成されている。
【０１８２】
駆動体１８Ｂは駆動モーター１９と送りネジ２０と遮光板２１と調整部材２２Ｂを有している。
【０１８３】
調整部材２２Ｂの摺動部２４Ｂは直方体状に形成され、前面における左右両側縁がそれぞれ摺動縁２４ｃ、２４ｃとして形成されている。
【０１８４】
駆動モーター１９の駆動力により調整部材２２Ｂが前後方向へ移動されるときには、摺動縁２４ｃ、２４ｃが被摺動面４１ｂ、４２ｂに摺動され、第１のレンズ鏡筒３３Ｂと第２のレンズ鏡筒３４Ｂがそれぞれガイド軸４６、４７に案内されて移動される。
【０１８５】
このように調整ブロック４０Ｂにあっては、第１のレンズ鏡筒３３Ｂと第２のレンズ鏡筒３４Ｂにそれぞれ形成された被摺動面４１ｂ、４２ｂに調整部材２２Ｂの摺動縁２４ｃ、２４ｃが摺動されて第１のレンズ鏡筒３３Ｂと第２のレンズ鏡筒３４Ｂが移動されて基線長が調整される。
【０１８６】
従って、調整部材２２Ｂが単純な形状であるため、機構の簡素化による製造コストの低減を図った上で画質の向上を図ることができる。
【０１８７】
＜第３の変形例＞
第３の変形例に係る調整ブロック４０Ｃは第１のレンズ鏡筒３３Ｂと第２のレンズ鏡筒３４Ｂと駆動体１８Ｃを有している（図１５参照）。
【０１８８】
駆動体１８Ｃは駆動モーター１９と送りネジ２０と遮光板２１と調整部材２２Ｃを有している。
【０１８９】
調整部材２２Ｃの摺動部２４Ｃは直方体状に形成され、前端部における左右両端部にそれぞれ回転部材２５、２５が支持されている。
【０１９０】
駆動モーター１９の駆動力により調整部材２２Ｃが前後方向へ移動されるときには、回転部材２５、２５が被摺動面４１ｂ、４２ｂに接した状態で回転される。
【０１９１】
従って、調整部材２２Ｃの移動動作及び第１のレンズ鏡筒３３Ｂと第２のレンズ鏡筒３４Ｂの移動動作を円滑に行うことができると共に駆動モーター１９の負荷が低減され駆動モーター１９の小型化を図ることができる。
【０１９２】
＜第４の変形例＞
第４の変形例に係る調整ブロック４０Ｄは第１のレンズ鏡筒３３Ｄと第２のレンズ鏡筒３４Ｄと駆動体１８Ｄを有している（図１６及び図１７参照）。
【０１９３】
鏡筒部４１Ｄ、４２Ｄの隣り合って位置する後端部にはそれぞれ後方へ突出された被摺動突部４１ｃ、４２ｃが設けられ、被摺動突部４１ｃ、４２ｃの後面における外縁がそれぞれ被摺動縁４１ｄ、４２ｄとして形成されている。
【０１９４】
第１のレンズ鏡筒３３Ｄと第２のレンズ鏡筒３４Ｄは付勢バネ４５Ｄによって連結されている。付勢バネ４５Ｄは、例えば、圧縮コイルバネであり、付勢バネ４５Ｄによって第１のレンズ鏡筒３３Ｄと第２のレンズ鏡筒３４Ｄが左右方向において互いに離隔する方向へ付勢されている。尚、付勢バネ４５Ｄの数は任意であり、例えば、上下に離隔して複数が設けられていてもよい。
【０１９５】
駆動体１８Ｄは駆動モーター１９と送りネジ２０と遮光板２１と調整部材２２Ｄを有している。
【０１９６】
調整部材２２Ｄはベース部２６とベース部２６の左右両端部からそれぞれ前方へ突出された摺動部２７、２７とから成り、摺動部２７、２７にそれぞれ斜面２７ａ、２７ａが形成されている。斜面２７ａ、２７ａは前方へ行くに従って互いに離隔するように形成されている。
【０１９７】
駆動モーター１９の駆動力により調整部材２２Ｄが前後方向へ移動されるときには、被摺動縁４１ｄ、４２ｄが斜面２７ａ、２７ａに摺動され、第１のレンズ鏡筒３３Ｄと第２のレンズ鏡筒３４Ｄがそれぞれガイド軸４６、４７に案内されて移動される。このとき基線長Ｌが小さくなる方向へ第１のレンズ鏡筒３３Ｄと第２のレンズ鏡筒３４Ｄが移動される場合（図１６参照）には、付勢バネ４５Ｄの付勢力に抗して第１のレンズ鏡筒３３Ｄと第２のレンズ鏡筒３４Ｄが移動され、基線長Ｌが大きくなる方向へ第１のレンズ鏡筒３３Ｄと第２のレンズ鏡筒３４Ｄが移動される場合（図１７参照）には、付勢バネ４５Ｄの付勢力によって第１のレンズ鏡筒３３Ｄと第２のレンズ鏡筒３４Ｄが移動される。
【０１９８】
［第２の実施の形態における撮像装置の効果］
上記した第２の実施の形態においては、中央線Ｍ上を移動される駆動体１８、１８Ｂ、１８Ｃ、１８Ｄによって第１のレンズ鏡筒３３、３３Ａ、３３Ｂ、３３Ｄと第２のレンズ鏡筒３４、３４Ａ、３４Ｂ、３４Ｄが同期して移動されて光軸Ｐ１と光軸Ｐ２の間隔である基線長が調整される。
【０１９９】
従って、第１のレンズ鏡筒３３、３３Ａ、３３Ｂ、３３Ｄと第２のレンズ鏡筒３４、３４Ａ、３４Ｂ、３４Ｄをそれぞれ独立した調整機構を用いて動作させないため、駆動体１８、１８Ｂ、１８Ｃ、１８Ｄが簡素な機構であり、簡素な機構によって基線長が調整されるため、製造コストの高騰を来たすことなく画質の向上を図ることができる。
【０２００】
また、第１のレンズ鏡筒３３、３３Ａ、３３Ｂ、３３Ｄと第２のレンズ鏡筒３４、３４Ａ、３４Ｂ、３４Ｄが中央線Ｍを基準として対称に移動されるため、基線長の高精度な調整を行うことができる。
【０２０１】
さらに、摺動部２４の断面が二等辺三角形状に形成された調整部材２２の摺動面２４ｂ、２４ｂがそれぞれ第１のレンズ鏡筒３３、３３Ａと第２のレンズ鏡筒３４、３４Ａに摺動される構成においては、第１のレンズ鏡筒３３、３３Ａ及び第２のレンズ鏡筒３４、３４Ａと調整部材２２の構成が簡素であるため、製造コストの低減を図った上で画質の向上を図ることができる。
【０２０２】
＜第３の実施の形態＞
［撮像装置の構成］
次に、第３の実施の形態における撮像装置６１の構成について説明する。
【０２０３】
尚、以下に示す第３の実施の形態における撮像装置６１は、上記した撮像装置１と比較して、調整ブロックの構成が異なることのみが相違するため、撮像装置１と比較して異なる部分についてのみ詳細に説明をし、その他の部分については撮像装置１における同様の部分に付した符号と同じ符号を付して説明は省略する。
【０２０４】
撮像装置６１は装置本体２と装置本体２の前面に設けられた第１のレンズ鏡筒６３及び第２のレンズ鏡筒６４とを備えている（図１参照）。
【０２０５】
第１のレンズ鏡筒６３と第２のレンズ鏡筒６４は、例えば、左右に並んでケース体８の内部に配置されている。第１のレンズ鏡筒６３と第２のレンズ鏡筒６４としては同一の大きさ及び同一又は対称な形状に形成されたものが用いられている。
【０２０６】
ケース体８の内部には第１のレンズ鏡筒６３と第２のレンズ鏡筒６４を有する調整ブロック７０が配置されている。
【０２０７】
第１のレンズ鏡筒６３と第２のレンズ鏡筒６４は、図１８に示すように、それぞれ後方に開口された矩形の箱状に形成された鏡筒部７１、７２と鏡筒部７１、７２の内部に前後方向（光軸方向）に並んで配置された複数のレンズ等によって構成された光学系とを有している。
【０２０８】
鏡筒部７１、７２の前端部にはそれぞれ光学系の一部を構成するレンズ７３、７４が保持されている。鏡筒部７１、７２の隣り合って位置する後縁はそれぞれ被摺動縁７１ｂ、７２ｂとして形成され、鏡筒部７１、７２の隣り合って位置する前縁はそれぞれ被摺動縁７１ｃ、７２ｃとして形成されている。
【０２０９】
第１のレンズ鏡筒６３と第２のレンズ鏡筒６４は付勢バネ７５によって連結されている。付勢バネ７５は、例えば、引張コイルバネであり、付勢バネ７５によって第１のレンズ鏡筒６３と第２のレンズ鏡筒６４が左右方向において互いに近付く方向へ付勢されている。尚、付勢バネ７５の数は任意であり、例えば、上下に離隔して複数が設けられていてもよい。
【０２１０】
ケース体８の内部には第１のレンズ鏡筒６３と第２のレンズ鏡筒６４の後側と前側にそれぞれ調整ブロック７０の一部を構成する駆動体１８Ｘ、１８Ｙが配置されている。
【０２１１】
後側に位置する駆動体１８Ｘは駆動モーター１９Ｘと駆動モーター１９Ｘによって回転される送りネジ２０Ｘと駆動モーター１９Ｘに伴って回転される遮光板２１Ｘと送りネジ２０Ｘの回転によって前後方向へ移動される調整部材２２Ｘとを有している。
【０２１２】
駆動体１８Ｘは調整部材２２Ｘが前側に位置され遮光板２１Ｘが後側に位置された状態で配置されている。駆動体１８Ｘは第１のレンズ鏡筒６３と第２のレンズ鏡筒６４の前後方向に延びる中央線Ｍに送りネジ２０Ｘの中心軸が一致する位置に配置されている。
【０２１３】
遮光板２１Ｘの側方にはフォトセンサー２３Ｘが配置されている。駆動モーター１９Ｘの回転に伴って遮光板２１Ｘが回転されると、遮光板２１Ｘの回転位置に応じてフォトセンサー２３Ｘによって調整部材２２Ｘの移動位置が検出される。
【０２１４】
調整部材２２Ｘは三角柱状に形成された摺動部２４Ｘを有し、摺動部２４Ｘの水平断面形状は頂点（頂辺）２４ｃが前端に位置する二等辺三角形状にされている。摺動部２４Ｘの頂点２４ｃは中央線Ｍ上に位置されている。
【０２１５】
摺動部２４Ｘの二つの傾斜面、即ち、前斜め側方を向く面は摺動面２４ｄ、２４ｄとして形成されている。
【０２１６】
調整部材２２Ｘには後方から送りネジ２０Ｘが挿入され、送りネジ２０Ｘが調整部材２２Ｘに螺合されている。調整部材２２Ｘは図示しない回転規制部材によって送りネジ２０Ｘの回転方向への回転が規制されており、送りネジ２０Ｘの回転方向に応じて前後方向へ移動される。
【０２１７】
後側に位置する駆動体１８Ｙは駆動モーター１９Ｙと駆動モーター１９Ｙによって回転される送りネジ２０Ｙと駆動モーター１９Ｙに伴って回転される遮光板２１Ｙと送りネジ２０Ｙの回転によって前後方向へ移動される調整部材２２Ｙとを有している。
【０２１８】
駆動体１８Ｙは調整部材２２Ｙが後側に位置され遮光板２１Ｙが前側に位置された状態で配置されている。駆動体１８Ｙは第２のレンズ鏡筒６４と第２のレンズ鏡筒６４の前後方向に延びる中央線Ｍに送りネジ２０Ｙの中心軸が一致する位置に配置されている。
【０２１９】
遮光板２１Ｙの側方にはフォトセンサー２３Ｙが配置されている。駆動モーター１９Ｙの回転に伴って遮光板２１Ｙが回転されると、遮光板２１Ｙの回転位置に応じてフォトセンサー２３Ｙによって調整部材２２Ｙの移動位置が検出される。
【０２２０】
調整部材２２Ｙは三角柱状に形成された摺動部２４Ｙを有し、摺動部２４Ｙの水平断面形状は頂点（頂辺）２４ｅが後端に位置する二等辺三角形状にされている。摺動部２４Ｙの頂点２４ｅは中央線Ｍ上に位置されている。
【０２２１】
摺動部２４Ｙの二つの傾斜面、即ち、後斜め側方を向く面は摺動面２４ｆ、２４ｆとして形成されている。
【０２２２】
調整部材２２Ｙには前方から送りネジ２０Ｙが挿入され、送りネジ２０Ｙが調整部材２２Ｙに螺合されている。調整部材２２Ｙは図示しない回転規制部材によって送りネジ２０Ｙの回転方向への回転が規制されており、送りネジ２０Ｙの回転方向に応じて前後方向へ移動される。
【０２２３】
［撮像装置の動作］
以下に、撮像装置６１の動作について説明する（図１８乃至図２１参照）。
【０２２４】
上記のように構成された撮像装置６１において、初期状態においては第１のレンズ鏡筒６３と第２のレンズ鏡筒６４は光軸Ｐ１、Ｐ２がそれぞれ前後に延びる向きとされ、調整部材２２Ｘが移動範囲における後端に位置され、調整部材２２Ｙが移動範囲における前端に位置されている（図１８参照）。このとき調整部材２２Ｘは前端部が第１のレンズ鏡筒６３と第２のレンズ鏡筒６４の間に挿入され、摺動面２４ｄ、２４ｄが第１のレンズ鏡筒６３の被摺動縁７１ｂと第２のレンズ鏡筒６４の被摺動縁７２ｂにそれぞれ接触されている。また、調整部材２２Ｙは後端部が第１のレンズ鏡筒６３と第２のレンズ鏡筒６４の間に挿入され、摺動面２４ｆ、２４ｆが第２のレンズ鏡筒６４の被摺動縁７１ｃと第２のレンズ鏡筒６４の被摺動縁７２ｃにそれぞれ接触されている。
【０２２５】
初期状態においては、第１のレンズ鏡筒６３の光軸Ｐ１と第２のレンズ鏡筒６４の光軸Ｐ２とがそれぞれ前後方向に延び平行な状態とされ、光軸Ｐ１と光軸Ｐ２の間隔Ｌが最も小さくされている。
【０２２６】
上記した初期状態において駆動モーター１９Ｘの駆動力により送りネジ２０Ｘが回転されると、調整部材２２Ｘが前方へ移動され摺動面２４ｄ、２４ｄがそれぞれ第１のレンズ鏡筒６３の被摺動縁７１ｂと第２のレンズ鏡筒６４の被摺動縁７２ｂに摺動される。一方、初期状態において駆動モーター１９Ｙの駆動力により送りネジ２０Ｙが回転されると、調整部材２２Ｙが後方へ移動され摺動面２４ｆ、２４ｆがそれぞれ第１のレンズ鏡筒６３の被摺動縁７１ｃと第２のレンズ鏡筒６４の被摺動縁７２ｃに摺動される。
【０２２７】
このとき、例えば、調整部材２２Ｘの前方への移動量と調整部材２２Ｙの後方への移動量が同じである場合には、図１９に示すように、第１のレンズ鏡筒６３と第２のレンズ鏡筒６４が付勢バネ７５の付勢力に抗して左右方向へ移動され、第１のレンズ鏡筒６３と第２のレンズ鏡筒６４が中央線Ｍを基準として同期して対称な位置に移動されていく。
【０２２８】
従って、光軸Ｐ１と光軸Ｐ２の間隔、即ち、基線長Ｌが大きくなる。基線長Ｌは調整部材２２Ｘと調整部材２２Ｙの前後方向における移動量に応じて任意の大きさに設定される。
【０２２９】
駆動モーター１９Ｘ、１９Ｙの回転による調整部材２２Ｘ、２２Ｙの移動時には、駆動モーター１９Ｘ、１９Ｙの回転に伴ってそれぞれ遮光板２１Ｘ、２１Ｙが回転され、フォトセンサー２３Ｘ、２３Ｙによる遮光板２１Ｘ、２１Ｙの回転角度の検出結果に基づいてそれぞれ調整部材２２Ｘ、２２Ｙの移動量が検知される。従って、フォトセンサー２３Ｘ、２３Ｙによる遮光板２１Ｘ、２１Ｙの回転角度の検出結果に基づいて調整部材２２Ｘ、２２Ｙの移動量が制御され、基線長Ｌが所望の大きさに設定されたときに駆動モーター１９Ｘ、１９Ｙの回転が停止されて調整部材２２Ｘ、２２Ｙの移動が停止される。
【０２３０】
逆に、駆動モーター１９Ｘ、１９Ｙが上記とは逆方向へ回転されて調整部材２２Ｘが後方へ調整部材２２Ｙが前方へ移動されると、付勢バネ７５の付勢力によって第１のレンズ鏡筒６３と第２のレンズ鏡筒６４が移動される。このとき摺動面２４ｄ、２４ｄがそれぞれ第１のレンズ鏡筒６３の被摺動縁７１ｂと第２のレンズ鏡筒６４の被摺動縁７２ｂに摺動され、摺動面２４ｆ、２４ｆがそれぞれ第１のレンズ鏡筒６３の被摺動縁７１ｃと第２のレンズ鏡筒６４の被摺動縁７２ｃに摺動される。調整部材２２Ｘが後方へ移動され調整部材２２Ｙが調整部材２２Ｘと前方へ同じ量だけ移動されることにより基線長Ｌが小さくなる。
【０２３１】
一方、上記した初期状態に対する調整部材２２Ｘと調整部材２２Ｙの移動量が異なるようにされると、光軸Ｐ１と光軸Ｐ２が平行な状態から変化され、輻輳角θの調整が行われる。このとき第１のレンズ鏡筒６３と第２のレンズ鏡筒６４が付勢バネ１５の付勢力に抗して同期して移動され、第１のレンズ鏡筒６３と第２のレンズ鏡筒６４は中央線Ｍを基準として対称な位置に移動されていく。
【０２３２】
調整部材２２Ｘの初期状態に対する前方への移動量と調整部材２２Ｙの初期状態に対する後方への移動量とは、調整部材２２Ｘの移動量の方が調整部材２２Ｙの移動量よりも大きくされている。
【０２３３】
調整部材２２Ｘの移動量と調整部材２２Ｙの移動量との差が小さい場合には輻輳角θが小さくされ（図２０参照）、調整部材２２Ｘの移動量と調整部材２２Ｙの移動量との差が大きい場合には輻輳角θが大きくされる（図２１参照）。
【０２３４】
従って、調整ブロック７０においては、輻輳角θの大きさが調整部材２２Ｘの移動量と調整部材２２Ｙの移動量との差に応じて変化される。
【０２３５】
上記した基線長Ｌの調整及び輻輳角θの調整は、撮像装置６１の使用者の操作により行われるようにしてもよく、また、ズーミングやフォーカシングの動作に伴って自動で行われるようにしてもよい。
【０２３６】
［第３の実施の形態に係る撮像装置における調整ブロックの変形例］
以下に、調整ブロックの各変形例について説明する（図２２乃至図２７参照）。
【０２３７】
尚、以下に示す各変形例に係る調整ブロックは、上記した調整ブロック７０と比較して、第１のレンズ鏡筒と第２のレンズ鏡筒の構成が異なること及び支持部材が配置されていることのみが相違するため、調整ブロック７０と比較して異なる部分についてのみ詳細に説明をし、その他の部分については調整ブロック７０における同様の部分に付した符号と同じ符号を付して説明は省略する。
【０２３８】
＜第１の変形例＞
第１の変形例に係る調整ブロック７０Ａは第１のレンズ鏡筒６３Ａと第２のレンズ鏡筒６４Ａと駆動体１８Ｘと駆動体１８Ｙを有している（図２２乃至図２４参照）。
【０２３９】
第１のレンズ鏡筒６３Ａの鏡筒部７１Ａには上下に突出された被規制部７１ａ、７１ａが設けられ、第２のレンズ鏡筒６４Ａの鏡筒部７２Ａには上下に突出された被規制部７２ａ、７２ａが設けられている。
【０２４０】
鏡筒部７１Ａ、７２Ａの隣り合って位置する後縁はそれぞれ被摺動縁７１ｂ、７２ｂとして形成され、鏡筒部７１Ａ、７２Ａの隣り合って位置する前縁はそれぞれ被摺動縁７１ｃ、７２ｃとして形成されている。
【０２４１】
第１のレンズ鏡筒６３Ａと第２のレンズ鏡筒６４Ａは付勢バネ７５によって互いに近付く方向へ付勢されている。
【０２４２】
ケース体８の内部には支持部材７６が配置されている。支持部材７６は前後に貫通された角筒状に形成され、上面部７７と下面部７８にそれぞれ左右に延びる溝状又は穴状の規制部７７ａ、７８ａを有している。
【０２４３】
尚、支持部材７６はケース体８の一部として設けられていてもよい。
【０２４４】
支持部材７６の規制部７７ａには一方の被規制部７１ａ、７２ａが挿入され、規制部７８ａには他方の被規制部７１ａ、７２ａが挿入され、第１のレンズ鏡筒６３Ａと第２のレンズ鏡筒６４Ａが支持部材７６に左右方向へ移動自在かつ前後方向へ移動不能に支持されている。
【０２４５】
第１のレンズ鏡筒６３Ａ及び第２のレンズ鏡筒６４Ａの上下両面と支持部材７６の内面との間には転動球７９、７９、・・・が配置されている。第１のレンズ鏡筒６３Ａ及び第２のレンズ鏡筒６４Ａの上下両面と支持部材７６の内面とは転動球７９、７９、・・・に接触した状態とされている。従って、第１のレンズ鏡筒６３Ａと第２のレンズ鏡筒６４Ａが駆動体１８Ｘ、１８Ｙによって支持部材７６に対して移動されるときに、転動球７９、７９、・・・が第１のレンズ鏡筒６３Ａ及び第２のレンズ鏡筒６４Ａの支持部材７６に対する移動に伴って回転される。
【０２４６】
上記のように、転動球７９、７９、・・・が配置されることにより、第１のレンズ鏡筒６３Ａと第２のレンズ鏡筒６４Ａの移動動作及び調整部材２２Ｘ、２２Ｙの移動動作を円滑に行うことができると共に駆動モーター１９Ｘ、１９Ｙの負荷が低減され駆動モーター１９Ｘ、１９Ｙの小型化を図ることができる。
【０２４７】
また、駆動体７０にあっては、規制部７７ａ、７８ａによって第１のレンズ鏡筒６３Ａと第２のレンズ鏡筒６４Ａの前後方向への移動が規制されている。
【０２４８】
従って、駆動体１８Ｘの調整部材２２Ｘと駆動体１８Ｙの調整部材２２Ｙとからの第１のレンズ鏡筒６３Ａと第２のレンズ鏡筒６４Ｂに付与される負荷が相違する場合においても、第１のレンズ鏡筒６３Ａと第２のレンズ鏡筒６４Ａが前後方向へ移動されず、基線長と輻輳角の調整精度の向上を図ることができる。
【０２４９】
＜第２の変形例＞
第２の変形例に係る調整ブロック７０Ｂは第１のレンズ鏡筒６３Ｂと第２のレンズ鏡筒６４Ｂと駆動体１８Ｘと駆動体１８Ｙを有している（図２５及び図２６参照）。
【０２５０】
第１のレンズ鏡筒６３Ｂの鏡筒部７１Ｂと第２のレンズ鏡筒６４Ｂの鏡筒部７２Ｂとの隣り合って位置する後縁はそれぞれ被摺動縁７１ｂ、７２ｂとして形成され、鏡筒部７１Ｂ、７２Ｂの隣り合って位置する前縁はそれぞれ被摺動縁７１ｃ、７２ｃとして形成されている。
【０２５１】
ケース体８の内部には支持部材８０が配置されている。支持部材８０は前後に貫通された略角筒状に形成された筒状部８１と筒状部８１の後端部からそれぞれ上方へ突出され左右に離隔して設けられたバネ支持部８２、８２とから成る。
【０２５２】
尚、支持部材８０はケース体８の一部として設けられていてもよい。
【０２５３】
第１のレンズ鏡筒６３Ｂと第２のレンズ鏡筒６４Ｂは付勢バネ７５によって互いに近付く方向へ付勢されている。第１のレンズ鏡筒６３Ｂと第１のレンズ鏡筒６３Ｂの真後ろに位置するバネ支持部８２との間には引張バネ８３が支持され、第１のレンズ鏡筒６３Ｂは引張バネ８３によって後方へ付勢されている。第２のレンズ鏡筒６４Ｂと第２のレンズ鏡筒６４Ｂの真後ろに位置するバネ支持部８２との間には引張バネ８４が支持され、第２のレンズ鏡筒６４Ｂは引張バネ８４によって後方へ付勢されている。
【０２５４】
第１のレンズ鏡筒６３Ｂの後面と第１のレンズ鏡筒６３Ｂの真後ろに位置するバネ支持部８２との間にはローラー８５が配置されている。ローラー８５は上下方向に延びる軸を支点として回転可能とされ、バネ支持部８２に接した状態とされている。ローラー８５には引張バネ８３によって後方へ付勢された第１のレンズ鏡筒６３Ｂが前方から押し付けられている。
【０２５５】
第２のレンズ鏡筒６４Ｂの後面と第２のレンズ鏡筒６４Ｂの真後ろに位置するバネ支持部８２との間にはローラー８６が配置されている。ローラー８６は上下方向に延びる軸を支点として回転可能とされ、バネ支持部８２に接した状態とされている。ローラー８６には引張バネ８４によって後方へ付勢された第２のレンズ鏡筒６４Ｂが前方から押し付けられている。
【０２５６】
第１のレンズ鏡筒６３Ｂ及び第２のレンズ鏡筒６４Ｂの上下両面と支持部材８０における筒状部８１の内面との間には転動球７９、７９、・・・が配置されている。第１のレンズ鏡筒６３Ｂ及び第２のレンズ鏡筒６４Ｂの上下両面と筒状部８１の内面とは転動球７９、７９、・・・に接触した状態とされている。従って、第１のレンズ鏡筒６３Ｂと第２のレンズ鏡筒６４Ｂが駆動体１８Ｘ、１８Ｙによって支持部材８０に対して移動されるときに、転動球７９、７９、・・・が第１のレンズ鏡筒６３Ｂ及び第２のレンズ鏡筒６４Ｂの支持部材８０に対する移動に伴って回転される。
【０２５７】
また、第１のレンズ鏡筒６３Ｂと第２のレンズ鏡筒６４Ｂが駆動体１８Ｘ、１８Ｙによって支持部材８０に対して移動されるときに、ローラー８５、８６が第１のレンズ鏡筒６３Ｂ及び第２のレンズ鏡筒６４Ｂの支持部材８０に対する移動に伴って回転される。
【０２５８】
上記のように、転動球７９、７９、・・・が配置されることにより、第１のレンズ鏡筒６３Ｂと第２のレンズ鏡筒６４Ｂの移動動作及び調整部材２２Ｘ、２２Ｙの移動動作を円滑に行うことができると共に駆動モーター１９Ｘ、１９Ｙの負荷が低減され駆動モーター１９Ｘ、１９Ｙの小型化を図ることができる。
【０２５９】
また、ローラー８５、８６が配置されることによっても、第１のレンズ鏡筒６３Ｂと第２のレンズ鏡筒６４Ｂの移動動作及び調整部材２２Ｘ、２２Ｙの移動動作を円滑に行うことができると共に駆動モーター１９Ｘ、１９Ｙの負荷が低減される。
【０２６０】
さらに、駆動体７０にあっては、第１のレンズ鏡筒６３Ｂと第２のレンズ鏡筒６４Ｂがそれぞれ引張バネ８３、８４によって後方へ付勢されローラー８５、８６に押し付けられている。従って、駆動体１８Ｘの調整部材２２Ｘと駆動体１８Ｙの調整部材２２Ｙとから第１のレンズ鏡筒６３Ｂと第２のレンズ鏡筒６４Ｂに付与される負荷が相違する場合においても、第１のレンズ鏡筒６３Ｂと第２のレンズ鏡筒６４Ｂが前後方向へ移動されず、基線長と輻輳角の調整精度の向上を図ることができる。
【０２６１】
尚、上記には、第１のレンズ鏡筒６３Ｂと第１のレンズ鏡筒６３Ｂの真後ろに位置するバネ支持部８２との間に引張バネ８３が支持され、第２のレンズ鏡筒６４Ｂと第２のレンズ鏡筒６４Ｂの真後ろに位置するバネ支持部８２との間に引張バネ８４が支持された例を示した。しかしながら、調整ブロック７０にあっては、例えば、図２７に示すように、第１のレンズ鏡筒６３Ｂと第２のレンズ鏡筒６４Ｂの真後ろに位置するバネ支持部８２との間に引張バネ８７が支持され、第２のレンズ鏡筒６４Ｂと第１のレンズ鏡筒６３Ｂの真後ろに位置するバネ支持部８２との間に引張バネ８８が支持されるようにしてもよい。
【０２６２】
このような位置に引張バネ８７、８８を配置することにより、第１のレンズ鏡筒６３Ｂが後方かつ第２のレンズ鏡筒６４Ｂに近付く方向へ付勢され、第２のレンズ鏡筒６４Ｂが後方かつ第１のレンズ鏡筒６３Ｂに近付く方向へ付勢される。従って、第１のレンズ鏡筒６３Ｂと第２のレンズ鏡筒６４Ｂを互いに近付ける方向へ付勢するための付勢バネ７５が不要となり、部品点数の削減による製造コストの低減を図ることができる。
【０２６３】
尚、上記した第３の実施の形態における調整ブロック７０、７０Ａ、７０Ｂにあっても、第１の実施の形態における調整ブロック１０Ａ及び第２の実施の形態における調整ブロック４０Ａと同様に、第１のレンズ鏡筒６３、６３Ａ、６３Ｂと第２のレンズ鏡筒６４、６４Ａ、６４Ｂにそれぞれ回転部材２５、２５を設けることが可能である。
【０２６４】
回転部材２５、２５を設けることにより、調整部材２２Ｘ、２２Ｙの移動動作及び第１のレンズ鏡筒６３、６３Ａ、６３Ｂと第２のレンズ鏡筒６４、６４Ａ、６４Ｂの回動動作を円滑に行うことができると共に駆動モーター１９Ｘ、１９Ｙの負荷が低減され駆動モーター１９Ｘ、１９Ｙの小型化を図ることができる。
【０２６５】
また、調整ブロック７０、７０Ａ、７０Ｂにあっても、調整ブロック１０Ｂ、４０Ｂと同様に、第１のレンズ鏡筒６３、６３Ａ、６３Ｂと第２のレンズ鏡筒６４、６４Ａ、６４Ｂにそれぞれ被摺動面を形成し、調整部材を直方体状に形成することが可能である。
【０２６６】
第１のレンズ鏡筒６３、６３Ａ、６３Ｂと第２のレンズ鏡筒６４、６４Ａ、６４Ｂにそれぞれ被摺動面を形成し、調整部材を直方体状に形成することにより、調整部材及び第１のレンズ鏡筒６３、６３Ａ、６３Ｂと第２のレンズ鏡筒６４、６４Ａ、６４Ｂが単純な形状であるため、機構の簡素化による製造コストの低減を図った上で画質の向上を図ることができる。
【０２６７】
さらに、調整ブロック７０、７０Ａ、７０Ｂにあっても、調整ブロック１０Ｃ、４０Ｃと同様に、第１のレンズ鏡筒６３、６３Ａ、６３Ｂと第２のレンズ鏡筒６４、６４Ａ、６４Ｂにそれぞれ被摺動面を形成し、調整部材２２Ｘ、２２Ｙに回転部材２５、２５を設けることが可能である。
【０２６８】
第１のレンズ鏡筒６３、６３Ａ、６３Ｂと第２のレンズ鏡筒６４、６４Ａ、６４Ｂにそれぞれ被摺動面を形成し、調整部材２２Ｘ、２２Ｙに回転部材２５、２５を設けることにより、調整部材２２Ｘ、２２Ｙの移動動作及び第１のレンズ鏡筒６３、６３Ａ、６３Ｂと第２のレンズ鏡筒６４、６４Ａ、６４Ｂの回動動作を円滑に行うことができると共に駆動モーター１９Ｘ、１９Ｙの負荷が低減され駆動モーター１９Ｘ、１９Ｙの小型化を図ることができる。
【０２６９】
さらにまた、調整ブロック７０、７０Ａ、７０Ｂにあっても、調整ブロック１０Ｄ、４０Ｄと同様に、第１のレンズ鏡筒６３、６３Ａ、６３Ｂと第２のレンズ鏡筒６４、６４Ａ、６４Ｂを圧縮コイルバネである付勢バネによって付勢し、二つの駆動体としてそれぞれ摺動部２７、２７を有する駆動体１８Ｄを用いることが可能である。
【０２７０】
［第３の実施の形態における撮像装置の効果］
上記した第３の実施の形態においては、中央線Ｍ上を移動される駆動体１８Ｘ、１８Ｙによって第１のレンズ鏡筒６３、６３Ａ、６３Ｂと第２のレンズ鏡筒６４、６４Ａ、６４Ｂが同期して移動されて光軸Ｐ１と光軸Ｐ２が為す輻輳角及び光軸Ｐ１と光軸Ｐ２の間隔である基線長が調整される。
【０２７１】
従って、駆動体１８Ｘ、１８Ｙによって輻輳角の調整と基線長の調整の双方の調整を自由に行うことができ、製造コストの高騰を来たすことなく画質の向上を図ることができる。
【０２７２】
また、第１のレンズ鏡筒６３、６３Ａ、６３Ｂと第２のレンズ鏡筒６４、６４Ａ、６４Ｂをそれぞれ独立した調整機構を用いて動作させないため、駆動体１８Ｘ、１８Ｙが簡素な機構であり、簡素な機構によって輻輳角及び基線長が調整されるため、製造コストの高騰を来たすことなく画質の向上を図ることができる。
【０２７３】
さらに、第１のレンズ鏡筒６３、６３Ａ、６３Ｂと第２のレンズ鏡筒６４、６４Ａ、６４Ｂが中央線Ｍを基準として対称に移動されるため、基線長の高精度な調整を行うことができる。
【０２７４】
さらにまた、摺動部２４Ｘ、２４Ｙの断面が二等辺三角形状に形成された調整部材２２Ｘの摺動面２４ｄ、２４ｄと調整部材２２Ｙの摺動面２４ｆ、２４ｆとがそれぞれ第１のレンズ鏡筒６３、６３Ａ、６３Ｂと第２のレンズ鏡筒６４、６４Ａ、６４Ｂに摺動される構成において、第１のレンズ鏡筒６３、６３Ａ、６３Ｂ及び第２のレンズ鏡筒６４、６４Ａ、６４Ｂと調整部材２２Ｘ、２２Ｙの構成が簡素であるため、製造コストの低減を図った上で画質の向上を図ることができる。
【０２７５】
［まとめ］
以上に記載した通り、第１の実施の形態、第２の実施の形態及び第３の実施の形態における撮像装置１、３１、６１にあっては、中央線（基準線）Ｍ上を移動される駆動体１８等によって第１のレンズ鏡筒３等と第２のレンズ鏡筒４等が同期して移動されて光軸Ｐ１と光軸Ｐ２の間隔又は向きが調整される。
【０２７６】
従って、第１のレンズ鏡筒３等と第２のレンズ鏡筒４等をそれぞれ独立した調整機構を用いて動作させないため、駆動体１８、１８Ｂ、１８Ｃ、１８Ｄ、１８Ｘ、１８Ｙが簡素な機構であり、簡素な機構によって光軸Ｐ１と光軸Ｐ２の間隔又は向きが調整されるため、製造コストの高騰を来たすことなく画質の向上を図ることができる。
【０２７７】
［撮像装置の一実施形態］
図２８に、本技術撮像装置の一実施形態によるビデオカメラのブロック図を示す。
【０２７８】
撮像装置（ビデオカメラ）１００は、撮像機能を担うカメラブロック９０と、撮影された画像信号のアナログ−デジタル変換等の信号処理を行うカメラ信号処理部９１と、画像信号の記録再生処理を行う画像処理部９２とを有している。また、撮像装置１００は、撮影された画像等を表示する液晶パネル等の画像表示部９３と、メモリーカード１０００への画像信号の書込及び読出を行うＲ／Ｗ（リーダ／ライタ）９４と、撮像装置の全体を制御するＣＰＵ（Central Processing Unit）９５と、ユーザーによって所要の操作が行われる各種のスイッチ等から成る入力部９６と、カメラブロック９０に配置されたレンズの駆動を制御するレンズ駆動制御部９７とを備えている。
【０２７９】
カメラブロック９０は、レンズ群９８を含む光学系や、ＣＣＤ（Charge Coupled Device）やＣＭＯＳ（Complementary Metal-Oxide Semiconductor）等の撮像素子９９等とによって構成されている。
【０２８０】
カメラ信号処理部９１は、撮像素子９９からの出力信号に対するデジタル信号への変換、ノイズ除去、画質補正、輝度・色差信号への変換等の各種の信号処理を行う。
【０２８１】
画像処理部９２は、所定の画像データーフォーマットに基づく画像信号の圧縮符号化・伸張復号化処理や解像度等のデーター仕様の変換処理等を行う。
【０２８２】
画像表示部９３はユーザーの入力部９６に対する操作状態や撮影した画像等の各種のデーターを表示する機能を有している。
【０２８３】
Ｒ／Ｗ９４は、画像処理部９２によって符号化された画像データーのメモリーカード１０００への書込及びメモリーカード１０００に記録された画像データーの読出を行う。
【０２８４】
ＣＰＵ９５は、撮像装置１００に設けられた各回路ブロックを制御する制御処理部として機能し、入力部９６からの指示入力信号等に基づいて各回路ブロックを制御する。
【０２８５】
入力部９６は、例えば、シャッター操作を行うためのシャッターレリーズボタンや、動作モードを選択するための選択スイッチ等によって構成され、ユーザーによる操作に応じた指示入力信号をＣＰＵ９５に対して出力する。
【０２８６】
レンズ駆動制御部９７は、ＣＰＵ９５からの制御信号に基づいてレンズ群９８の各レンズを駆動する図示しないモータ等を制御する。
【０２８７】
メモリーカード１０００は、例えば、Ｒ／Ｗ９４に接続されたスロットに対して着脱可能な半導体メモリーである。
【０２８８】
以下に、撮像装置１００における動作を説明する。
【０２８９】
撮影の待機状態では、ＣＰＵ９５による制御の下で、カメラブロック９０において撮影された画像信号が、カメラ信号処理部９１を介して画像表示部９３に出力され、カメラスルー画像として表示される。また、入力部９６からのズーミングのための指示入力信号が入力されると、ＣＰＵ９５がレンズ駆動制御部９７に制御信号を出力し、レンズ駆動制御部９７の制御に基づいてレンズ群９８の所定のレンズが移動される。
【０２９０】
入力部９６からの指示入力信号によりカメラブロック９０の図示しないシャッターが動作されると、撮影された画像信号がカメラ信号処理部９１から画像処理部９２に出力されて圧縮符号化処理され、所定のデーターフォーマットのデジタルデーターに変換される。変換されたデーターはＲ／Ｗ９４に出力され、メモリーカード１０００に書き込まれる。
【０２９１】
フォーカシングは、ＣＰＵ９５からの制御信号に基づいてレンズ駆動制御部９７がレンズ群９８の所定のレンズを移動させることにより行われる。
【０２９２】
メモリーカード１０００に記録された画像データーを再生する場合には、入力部９６に対する操作に応じて、Ｒ／Ｗ９４によってメモリーカード１０００から所定の画像データーが読み出され、画像処理部９２によって伸張復号化処理が行われた後、再生画像信号が画像表示部９３に出力されて再生画像が表示される。
【０２９３】
［本技術］
本技術は、以下のような構成とすることもできる。
【０２９４】
（１）第１のレンズ鏡筒と、被写体と像を結ぶ結像方向に直交する方向において前記第１のレンズ鏡筒に並んで配置された第２のレンズ鏡筒と、前記第１のレンズ鏡筒と前記第２のレンズ鏡筒が並ぶ並び方向へ前記第１のレンズ鏡筒と前記第２のレンズ鏡筒を付勢する付勢バネと、前記第１のレンズ鏡筒と前記第２のレンズ鏡筒の間に位置し前記結像方向に延びる基準線上を移動される調整部材を有する駆動体とを備え、前記調整部材が移動時に前記第１のレンズ鏡筒と前記第２のレンズ鏡筒に摺動されて前記第１のレンズ鏡筒と前記第２のレンズ鏡筒を同期して移動させ前記第１のレンズ鏡筒の光軸と前記第２のレンズ鏡筒の光軸の間隔又は向きの調整が行われるようにした撮像装置。
【０２９５】
（２）前記結像方向及び前記並び方向にともに直交する方向に延びる一対の支点軸を設け、前記各支点軸を支点としてそれぞれ前記第１のレンズ鏡筒と前記第２のレンズ鏡筒が回動可能とされ、前記第１のレンズ鏡筒と前記第２のレンズ鏡筒がそれぞれ前記支点軸を支点として回動されて前記第１のレンズ鏡筒の光軸と前記第２のレンズ鏡筒の光軸の向きが調整されるようにした（１）に記載の撮像装置。
【０２９６】
（３）前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に回動されるようにした（２）に記載の撮像装置。
【０２９７】
（４）前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成された（３）に記載の撮像装置。
【０２９８】
（５）前記第１のレンズ鏡筒と前記第２のレンズ鏡筒にそれぞれ前記調整部材の摺動面が接して回転される回転部材を設けた（４）に記載の撮像装置。
【０２９９】
（６）前記第１のレンズ鏡筒と前記第２のレンズ鏡筒にそれぞれ前記光軸に対して傾斜され前記調整部材が摺動される被摺動面を形成した（３）に記載の撮像装置。
【０３００】
（７）前記調整部材に前記第１のレンズ鏡筒と前記第２のレンズ鏡筒の被摺動面が接して回転される回転部材を設けた（６）に記載の撮像装置。
【０３０１】
（８）前記駆動体が前記結像方向に離隔して一対設けられ、一方の前記駆動体の移動量と他方の前記駆動体の移動量とに応じて前記第１のレンズ鏡筒の光軸と前記第２のレンズ鏡筒の光軸の間隔と向きの調整が行われるようにした（１）に記載の撮像装置。
【０３０２】
（９）前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に移動されるようにした（８）に記載の撮像装置。
【０３０３】
（１０）前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成された（９）に記載の撮像装置。
【０３０４】
（１１）前記第１のレンズ鏡筒と前記第２のレンズ鏡筒にそれぞれ前記調整部材の摺動面が接して回転される回転部材を設けた（１０）に記載の撮像装置。
【０３０５】
（１２）前記第１のレンズ鏡筒と前記第２のレンズ鏡筒にそれぞれ前記光軸に対して傾斜され前記調整部材が摺動される被摺動面を形成した（９）に記載の撮像装置。
【０３０６】
（１３）前記調整部材に前記第１のレンズ鏡筒と前記第２のレンズ鏡筒の被摺動面が接して回転される回転部材を設けた（１２）に記載の撮像装置。
【０３０７】
（１４）前記第１のレンズ鏡筒と前記第２のレンズ鏡筒を支持する支持部材を設け、前記支持部材に前記第１のレンズ鏡筒と前記第２のレンズ鏡筒の前記結像方向への移動を規制する規制部を設け、前記第１のレンズ鏡筒と前記第２のレンズ鏡筒にそれぞれ前記規制部に前記並び方向へ移動自在に係合される被規制部を設けた（８）から（１３）の何れかに記載の撮像装置。
【０３０８】
（１５）前記並び方向に延びるガイド軸を設け、前記第１のレンズ鏡筒と前記第２のレンズ鏡筒が前記ガイド軸に案内されて前記第１のレンズ鏡筒の光軸と前記第２のレンズ鏡筒の光軸の間隔が調整されるようにした（１）に記載の撮像装置。
【０３０９】
（１６）前記基準線が前記第１のレンズ鏡筒と前記第２のレンズ鏡筒の中央に位置する中央線とされ、前記中央線を基準として前記第１のレンズ鏡筒と前記第２のレンズ鏡筒が対称に移動されるようにした（１５）に記載の撮像装置。
【０３１０】
（１７）前記調整部材に断面が二等辺三角形状に形成された摺動部を設け、前記摺動部の一対の傾斜面が移動時にそれぞれ前記第１のレンズ鏡筒と前記第２のレンズ鏡筒に摺動される摺動面として形成された（１６）に記載の撮像装置。
【０３１１】
（１８）前記第１のレンズ鏡筒と前記第２のレンズ鏡筒にそれぞれ前記調整部材の摺動面が接して回転される回転部材を設けた（１７）に記載の撮像装置。
【０３１２】
（１９）前記第１のレンズ鏡筒と前記第２のレンズ鏡筒にそれぞれ前記光軸に対して傾斜され前記調整部材が摺動される被摺動面を形成した（１６）に記載の撮像装置。
【０３１３】
（２０）前記調整部材に前記第１のレンズ鏡筒と前記第２のレンズ鏡筒の被摺動面が接して回転される回転部材を設けた（１９）に記載の撮像装置。
【０３１４】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０３１５】
【図１】図２乃至図２８と共に本技術の最良の形態を示すものであり、本図は、撮像装置の概略斜視図である。
【図２】図３乃至図９と共に第１の実施の形態を示すものであり、本図は、調整ブロックの拡大斜視図である。
【図３】初期状態を示す調整ブロックの概略平面図である。
【図４】輻輳角が調整されている状態を示す概略平面図である。
【図５】第１の変形例に係る調整ブロックを示す概略平面図である。
【図６】第２の変形例に係る調整ブロックを示す概略平面図である。
【図７】第３の変形例に係る調整ブロックを示す概略平面図である。
【図８】図９と共に第４の変形例に係る調整ブロックを示すものであり、本図は、初期状態を示す調整ブロックの概略平面図である。
【図９】輻輳角が調整されている状態を示す概略平面図である。
【図１０】図１１乃至図１７と共に第２の実施の形態を示すものであり、本図は、調整ブロックの拡大斜視図である。
【図１１】初期状態を示す調整ブロックの概略平面図である。
【図１２】基線長が調整されている状態を示す概略平面図である。
【図１３】第１の変形例に係る調整ブロックを示す概略平面図である。
【図１４】第２の変形例に係る調整ブロックを示す概略平面図である。
【図１５】第３の変形例に係る調整ブロックを示す概略平面図である。
【図１６】図１７と共に第４の変形例に係る調整ブロックを示すものであり、本図は、初期状態を示す調整ブロックの概略平面図である。
【図１７】基線長が調整されている状態を示す概略平面図である。
【図１８】図１９乃至図２７と共に第３の実施の形態を示すものであり、本図は、初期状態を示す調整ブロックの概略平面図である。
【図１９】基線長が調整されている状態を示す概略平面図である。
【図２０】輻輳角が調整され輻輳角が大きい状態を示す概略平面図である。
【図２１】輻輳角が調整され輻輳角が小さい状態を示す概略平面図である。
【図２２】図２３及び図２４と共に第１の変形例に係る調整ブロックを示すものであり、本図は、概略平面図である。
【図２３】駆動体及び付勢バネを省略した状態で示す概略正面図である。
【図２４】駆動体及び付勢バネを省略した状態で示す概略側面図である。
【図２５】図２６と共に第２の変形例に係る調整ブロックを示すものであり、本図は、概略平面図である。
【図２６】駆動体及び付勢バネを省略した状態で示す概略側面図である。
【図２７】第２の変形例に係る調整ブロックの別の例を示す概略平面図である。
【図２８】撮像装置のブロック図である。
【符号の説明】
【０３１６】
１…撮像装置、３…第１のレンズ鏡筒、４…第２のレンズ鏡筒、１５…付勢バネ、１６…支点軸、１７…支点軸、１８…駆動体、２２…調整部材、２４…摺動部、３Ａ…第１のレンズ鏡筒、４Ａ…第２のレンズ鏡筒、２５…回転部材、３Ｂ…第１のレンズ鏡筒、４Ｂ…第２のレンズ鏡筒、１１ｂ…被摺動面、１２ｂ…被摺動面、１８Ｂ…駆動体、２２Ｂ…駆動体、２４Ｂ…駆動体、１８Ｃ…駆動体、２２Ｃ…駆動体、２４Ｃ…駆動体、３Ｄ…第１のレンズ鏡筒、４Ｄ…第２のレンズ鏡筒、１５Ｄ…付勢バネ、１８Ｄ…駆動体、２２Ｄ…駆動体、２７…摺動部、３１…撮像装置、３３…第１のレンズ鏡筒、３４…第２のレンズ鏡筒、４５…付勢バネ、４６…ガイド軸、４７…ガイド軸、３３Ａ…第１のレンズ鏡筒、３４Ａ…第２のレンズ鏡筒、３３Ｂ…第１のレンズ鏡筒、３４Ｂ…第２のレンズ鏡筒、４１ｂ…被摺動面、４２ｂ…被摺動面、３３Ｄ…第１のレンズ鏡筒、３４Ｄ…第２のレンズ鏡筒、４５Ｄ…付勢バネ、６１…撮像装置、６３…第１のレンズ鏡筒、６４…第２のレンズ鏡筒、７５…付勢バネ、１８Ｘ…駆動体、２２Ｘ…調整部材、２４Ｘ…摺動部、２４ｄ…摺動面、１８Ｙ…駆動体、２２Ｙ…調整部材、２４Ｙ…摺動部、２４ｆ…摺動面、６３Ａ…第１のレンズ鏡筒、６４Ａ…第２のレンズ鏡筒、７１ａ…被規制部、７２ａ…被規制部、７６…支持部材、７７ａ…規制部、７８ａ…規制部、６３Ｂ…第１のレンズ鏡筒、６４Ｂ…第２のレンズ鏡筒、８０…支持部材、１００…撮像装置
【図１】
2012185397.tif 000003
【図２】
2012185397.tif 000004
【図３】
2012185397.tif 000005
【図４】
2012185397.tif 000006
【図５】
2012185397.tif 000007
【図６】
2012185397.tif 000008
【図７】
2012185397.tif 000009
【図８】
2012185397.tif 000010
【図９】
2012185397.tif 000011
【図１０】
2012185397.tif 000012
【図１１】
2012185397.tif 000013
【図１２】
2012185397.tif 000014
【図１３】
2012185397.tif 000015
【図１４】
2012185397.tif 000016
【図１５】
2012185397.tif 000017
【図１６】
2012185397.tif 000018
【図１７】
2012185397.tif 000019
【図１８】
2012185397.tif 000020
【図１９】
2012185397.tif 000021
【図２０】
2012185397.tif 000022
【図２１】
2012185397.tif 000023
【図２２】
2012185397.tif 000024
【図２３】
2012185397.tif 000025
【図２４】
2012185397.tif 000026
【図２５】
2012185397.tif 000027
【図２６】
2012185397.tif 000028
【図２７】
2012185397.tif 000029
【図２８】
2012185397.tif 000030